(57)【要約】【課題】検出電極の数未満の検出回路の入力チャネル数で対応可能なタッチ検出装置を提供することを目的とする。【解決手段】タッチ検出装置１は、複数の駆動電極Ｔｘと、複数の駆動電極Ｔｘと離間する複数の検出電極Ｒｘと、複数の検出電極Ｒｘのうち第１の所定数以下の検出電極Ｒｘと電気的に接続する検出回路５１と、複数の検出電極Ｒｘ及び検出回路５１に電気的に接続される選択回路５２とを有し、複数の検出電極Ｒｘの数は、第１の所定数より大きい第２の所定数であり、選択回路５２は、第２の所定数の検出電極Ｒｘから１つ以上かつ第１の所定数以下の検出電極Ｒｘを含むグループを少なくとも１つを選択し、検出回路５１は、選択された検出電極Ｒｘの自己静電容量に基づく第１タッチ検出を行い、第１タッチ検出を行う検出電極Ｒｘと駆動電極Ｔｘとの間の相互静電容量に基づく第２タッチ検出を行う。【選択図】図１
2018160174.tif 000002
【特許請求の範囲】
【請求項１】
複数の駆動電極と、
前記複数の駆動電極と離間して設けられる、複数の検出電極と、
前記複数の検出電極のうち、第１の所定数以下の検出電極と電気的に接続する、検出回路と、
前記複数の検出電極及び前記検出回路に電気的に接続される選択回路と、
を有し、
前記複数の検出電極の数は、前記第１の所定数より大きい第２の所定数であり、
前記選択回路は、前記第２の所定数の検出電極から、１つ以上かつ前記第１の所定数以下の検出電極を含むグループを少なくとも１つを選択し、
前記検出回路は、前記選択された検出電極の自己静電容量に基づく第１タッチ検出を行い、
前記検出回路は、前記第１タッチ検出を行う検出電極と、前記駆動電極との間の相互静電容量に基づく第２タッチ検出を行う、
タッチ検出装置。
【請求項２】
前記検出電極は、第１方向に延出し、
前記駆動電極は、第１方向と異なる第２方向に延出し、
前記駆動電極は、前記検出電極と前記駆動電極の間に相互静電容量を生じさせる駆動信号を出力する駆動回路と接続される
請求項１に記載のタッチ検出装置。
【請求項３】
前記選択回路は、前記グループを複数選択し、
前記選択回路によっていずれか１つのグループに選択される検出電極は、他のグループに含まれる検出電極と異なる
請求項１に記載のタッチ検出装置。
【請求項４】
前記選択回路は、前記グループを複数選択し、
前記選択回路によっていずれか１つのグループに選択される複数の検出電極のうち一部の検出電極は、他の１つのグループに含まれる複数の検出電極のうち一部の検出電極である
請求項１に記載のタッチ検出装置。
【請求項５】
異なるグループの前記検出電極は、異なるタイミングで前記選択回路に選択され、
２つのグループに含まれる検出電極で自己静電容量変化が検出された場合、前記２つのグループのうち一方のグループで相互静電容量の変化を検出する
請求項４に記載のタッチ検出装置。
【請求項６】
異なるグループの前記検出電極は、異なる駆動電極と対向する
請求項３に記載のタッチ検出装置。
【請求項７】
前記選択回路によるグループの選択パターンは２パターンあり、
前記２パターンのうち一方は、前記検出電極の自己静電容量を検出するための第１のグループであり、
前記２パターンのうち他方は、前記検出電極の相互静電容量を検出するための第２のグループであり、
前記第２の所定数の前記検出電極は、前記第２方向に沿って並び、
前記第１のグループとされる前記検出電極は、前記第２方向に沿って連続して並ぶｍ以上の数の検出電極のうち、並び順に沿って（ｍ−１）つ置きに選択された検出電極であり、
ｍは、前記第１のグループの数である
請求項２に記載のタッチ検出装置。
【請求項８】
前記選択回路は、前記グループを複数選択し、
前記第１タッチ検出は、前記グループごとで順次行われ、
第２タッチ検出は、前記第１タッチ検出でタッチ操作に応じた自己静電容量を検出した検出電極が１つ以上ある場合、前記第１タッチ検出が行われていないタイミングに行われる
請求項１に記載のタッチ検出装置。
【請求項９】
前記第１タッチ検出は、前記グループごとで順次行われ、
前記選択回路は、自己静電容量変化が検出された検出電極が複数のグループのうち２つのグループの各々に含まれる場合、前記第２タッチ検出のタイミングで当該２つのグループの両方に含まれる検出電極の全てと、当該２つのグループの一方固有の検出電極の一部である第１選択電極と、当該２つのグループの他方固有の検出電極の一部である第２選択電極とを選択して接続する
請求項１に記載のタッチ検出装置。
【請求項１０】
前記第２の所定数の前記検出電極は、前記第１方向に沿って並び、
前記第１選択電極及び前記第２選択電極は、前記第１方向に沿って連続して並ぶ２以上の検出電極のうち、並び順に沿って１つ置きで選択された検出電極である
請求項９に記載のタッチ検出装置。
【請求項１１】
前記第１選択電極及び前記第２選択電極は、複数回行われる前記第２タッチ検出のうち実施タイミングが最も近い２回の前記第２タッチ検出で異なる検出電極となるよう選択の周期がずらされる
請求項１０に記載のタッチ検出装置。
【請求項１２】
前記検出回路は、前記検出電極の自己静電容量に基づいた第１タッチ検出と、前記第１タッチ検出を行う検出電極を含む検出電極の相互静電容量に基づいた第２タッチ検出とを行い、
前記第１タッチ検出は、前記グループごとに順次行われ、
前記第２タッチ検出で用いられる検出電極は、前記複数のグループの全てで行われた前記第１タッチ検出を行う検出電極を含む第１の所定数以下の検出電極である
請求項３に記載のタッチ検出装置。
【請求項１３】
複数の前記駆動回路を備え、
前記駆動回路の数は、グループの数と等しく、
複数の前記駆動回路はそれぞれ異なるグループの前記検出電極と対向する駆動電極に前記駆動信号を出力し、
前記検出回路は、前記検出電極の自己静電容量に基づいた第１タッチ検出と、前記第１タッチ検出を行う検出電極の相互静電容量に基づいた第２タッチ検出とを行い、
前記第１タッチ検出は、前記グループごとに順次行われる
請求項６に記載のタッチ検出装置。
【請求項１４】
前記検出回路は、前記検出電極の自己静電容量に基づいた第１タッチ検出と、前記相互静電容量に基づいた第２タッチ検出とを行い、
前記第１タッチ検出は、前記第１のグループごとに順次行われ、
前記第２タッチ検出は、自己静電容量変化が検出された検出電極があった場合に当該検出電極を含む前記第２のグループの検出電極の相互静電容量に基づいて行われる
請求項７に記載のタッチ検出装置。
【発明の詳細な説明】
【技術分野】
【０００１】
本発明は、タッチ検出装置に関する。
【背景技術】
【０００２】
タッチパネルで採用される方式として、所謂相互静電容量方式が知られている（例えば特許文献１）。この方式では、対向するよう設けられた２つの電極の一方（駆動電極）に駆動信号を印加して当該２つの電極間に生じた静電容量の変化に基づいてタッチ操作を検出する。
【先行技術文献】
【特許文献】
【０００３】
【特許文献１】特開２０１２−７３７８３号公報
【発明の概要】
【発明が解決しようとする課題】
【０００４】
相互静電容量方式では、２つの電極の他方（検出電極）から出力される電気信号を検出してタッチ操作の有無を判定する検出回路が設けられる。また、相互静電容量方式では、単位面積あたりの検出精度は、平面視において単位面積内で交差する２つの電極の交差点数に対応する。このため、検出ピッチの向上、検出ピッチの低下を伴わない検出面の大型化の少なくとも一方を実現しようとすると、タッチパネルにおける２つの電極の交差点を増やす必要がある。単純に２つの電極の交差点を増やすために検出電極の数を増やした場合、検出電極の数に応じて検出回路の入力チャネル数も増やす必要が生じる。検出回路の入力チャネル数の増加は、検出回路の大型化、高コスト化等の問題を生じさせる。
【０００５】
本発明は、上記の課題に鑑みてなされたもので、検出電極の数未満の検出回路の入力チャネル数で対応可能なタッチ検出装置を提供することを目的とする。
【課題を解決するための手段】
【０００６】
本発明の一態様によるタッチ検出装置は、複数の駆動電極と、前記複数の駆動電極と離間して設けられる、複数の検出電極と、前記複数の検出電極のうち、第１の所定数以下の検出電極と電気的に接続する、検出回路と、前記複数の検出電極及び前記検出回路に電気的に接続される選択回路と、を有し、前記複数の検出電極の数は、前記第１の所定数より大きい第２の所定数であり、前記選択回路は、前記第２の所定数の検出電極から、１つ以上かつ前記第１の所定数以下の検出電極を含むグループを少なくとも１つを選択し、前記検出回路は、前記選択された検出電極の自己静電容量に基づく第１タッチ検出を行い、前記検出回路は、前記第１タッチ検出を行う検出電極と、前記駆動電極との間の相互静電容量に基づく第２タッチ検出を行う。
【図面の簡単な説明】
【０００７】
【図１】図１は、実施形態１のタッチ検出装置の主要構成を示すブロック図である。
【図２】図２は、タッチ検出パネルが有する駆動電極と検出電極との位置関係の一例を示す平面図である。
【図３】図３は、ＡＦＥの構成例を示す模式図である。
【図４】図４は、自己静電容量方式のタッチ検出の基本原理を説明するための、指Ｆｉが接触または近接していない状態を表す説明図である。
【図５】図５は、自己静電容量方式のタッチ検出の基本原理を説明するための、指Ｆｉが接触または近接した状態を表す説明図である。
【図６】図６は、駆動信号及びタッチ検出信号の波形の一例を表す図である。
【図７】図７は、相互静電容量方式のタッチ検出の基本原理を説明するための、指Ｆｉが接触または近接していない状態を表す説明図である。
【図８】図８は、図７に示す指が接触または近接していない状態の等価回路の例を示す説明図である。
【図９】図９は、駆動信号及びタッチ検出信号の波形の一例を表す図である。
【図１０】図１０は、駆動電極と検出電極の配置例及び駆動電極Ｔｘの走査方向の例を表す斜視図である。
【図１１】図１１は、タッチ検出装置によるタッチ検出の基本的な流れを示すフローチャートである。
【図１２】図１２は、第２タッチ検出が行われない場合における第１タッチ検出の繰り返し実施例を示す模式図である。
【図１３】図１３は、図１２に示す第２タッチ検出が行われない場合における第１タッチ検出の繰り返し実施例のタイミングチャートである。
【図１４】図１４は、第１グループの第２タッチ検出が行われる場合を示す模式図である。
【図１５】図１５は、第１グループの第２タッチ検出が行われる場合のタイミングチャートである。
【図１６】図１６は、第２グループの第２タッチ検出が行われる場合を示す模式図である。
【図１７】図１７は、第２グループの第２タッチ検出が行われる場合のタイミングチャートである。
【図１８】図１８は、第１グループの第２タッチ検出及び第２グループの第２タッチ検出が行われる場合を示す模式図である。
【図１９】図１９は、第１グループの第２タッチ検出及び第２グループの第２タッチ検出が行われる場合のタイミングチャートである。
【図２０】図２０は、第１グループの第２タッチ検出及び第２グループの第２タッチ検出が行われる別の場合を示す模式図である。
【図２１】図２１は、実施形態２における検出電極のグループの例を示す模式図である。
【図２２】図２２は、重複領域でタッチ操作が検出された場合の一例を示す模式図である。
【図２３】図２３は、重複領域、第１非重複領域及び第２非重複領域でタッチ操作が検出された場合の一例を示す模式図である。
【図２４】図２４は、実施形態３において第２タッチ検出が行われる領域の一例を示す図である。
【図２５】図２５は、実施形態３において第２タッチ検出が行われる領域の別の一例を示す図である。
【図２６】図２６は、実施形態４における重複領域、第１非重複領域及び第２非重複領域でタッチ操作が検出された場合の一例を示す模式図である。
【図２７】図２７は、実施形態５における重複領域、第１非重複領域及び第２非重複領域でタッチ操作が検出された場合の一例を示す模式図である。
【図２８】図２８は、実施形態６における重複領域、第１非重複領域及び第２非重複領域でタッチ操作が検出された場合の一例を示す模式図である。
【図２９】図２９は、実施形態６における第１タッチ検出の実施タイミングの一例を示すタイミングチャートである。
【図３０】図３０は、実施形態７における重複領域、第１非重複領域及び第２非重複領域でタッチ操作が検出された場合の一例を示す模式図である。
【図３１】図３１は、実施形態８のタッチ検出パネルが有する駆動電極と検出電極との位置関係の一例を示す平面図である。
【図３２】図３２は、１つのグループに含まれる駆動電極に対して駆動信号が出力された場合に２つのグループの各々に含まれる検出電極との間で静電容量が発生するパターンの一例を示す模式図である。
【図３３】図３３は、第２グループの第２タッチ検出が行われる場合を示す模式図である。
【図３４】図３４は、第２グループの第２タッチ検出が行われる場合のタイミングチャートである。
【図３５】図３５は、第１グループの第２タッチ検出及び第２グループの第２タッチ検出が行われる場合を示す模式図である。
【図３６】図３６は、第１グループの第２タッチ検出及び第２グループの第２タッチ検出が行われる場合のタイミングチャートである。
【図３７】図３７は、タッチ検出機能付き表示パネルの概略断面構造を表す断面図である。
【発明を実施するための形態】
【０００８】
以下に、本発明の各実施の形態について、図面を参照しつつ説明する。なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【０００９】
（実施形態１）
図１は、実施形態１のタッチ検出装置の主要構成を示すブロック図である。タッチ検出装置１は、タッチ検出パネル１０と、回路部５０とを備える。
【００１０】
タッチ検出パネル１０は、複数の駆動電極Ｔｘと、複数の検出電極Ｒｘとを有する。当該複数の検出電極Ｒｘは、当該複数の駆動電極Ｔｘと離間して設けられる。複数の検出電極Ｒｘはそれぞれ、いずれかのグループに含まれる検出電極Ｒｘとして選択される。グループは、それぞれが１つ以上かつ第１の所定数以下の検出電極Ｒｘを含む。具体例を挙げると、実施形態１では、例えば４８の検出電極Ｒｘを１グループとする検出電極のグループが２つ設けられている。図１等では、２つ設けられている検出電極のグループのうち一方を第１グループＧＡとし、他方を第２グループＧＢとしている。なお、詳細は後述するが、本実施形態では、選択回路５２によって複数の検出電極Ｒｘのうち、所定の検出電極Ｒｘが選択的に選択され、当該選択された検出電極Ｒｘが検出回路５１に電気的に接続される。本実施形態では、タッチ検出パネル１０に含まれる複数の検出電極Ｒｘの総数を第２の所定数とし、検出回路５１に電気的に接続される検出電極Ｒｘの数を第１の所定数とする。また、第２の所定数の検出電極Ｒｘのうち第１の所定数の検出電極Ｒｘが、選択回路５２によって選択され、検出回路５１に電気的に接続されることを、グループ分けと呼ぶことがある。
【００１１】
図２は、タッチ検出パネル１０が有する駆動電極Ｔｘと検出電極Ｒｘとの位置関係の一例を示す平面図である。駆動電極Ｔｘと検出電極Ｒｘとは、平面視で異なる方向に延出する。以下、検出電極Ｒｘの延設方向を第１方向（Ｘ方向）とし、駆動電極Ｔｘの延出方向を第２方向（Ｙ方向）とする。実施形態１では、Ｘ方向とＹ方向は直交する。また、Ｘ方向とＹ方向は、第３方向（Ｚ方向）に直交する。
【００１２】
駆動電極Ｔｘと検出電極Ｒｘは対向するよう設けられる。具体的には、例えば駆動電極Ｔｘと検出電極Ｒｘはそれぞれ異なるガラス基板に沿って形成される。駆動電極Ｔｘが形成された第１ガラス基板と検出電極Ｒｘが形成された第２ガラス基板とが非接触の状態で対向するよう設けられることで、駆動電極Ｔｘと検出電極Ｒｘは対向する。より具体的には、第１ガラス基板と第２ガラス基板は、例えばマウンタを挟んでＺ方向に対向する。駆動電極Ｔｘと検出電極Ｒｘのうち一方が１枚のガラス基板の一面（例えば、表）に形成され、他方がガラス基板の反対側の面（例えば、裏）に形成されてもよい。
【００１３】
以下、「検出面に対する物体の近接または接触」を伴う操作を「タッチ操作」と記載することがある。タッチ検出装置１は、検出面に対するタッチ操作を検出する。検出面は、例えば検出電極Ｒｘが形成された第２ガラス基板のうち、第１ガラス基板と対向する面と反対側の面である。
【００１４】
以下、「検出面に対する物体の近接または接触の検出」を「タッチ検出」と記載することがある。タッチ検出は、検出電極Ｒｘが位置する領域で行われる。具体的には、例えば図２に示す第１グループＧＡに含まれる検出電極Ｒｘが位置する領域及び第２グループＧＢに含まれる検出電極Ｒｘが位置する領域でタッチ検出が行われる。以下、「第１グループＧＡに含まれる検出電極Ｒｘが位置する領域」を「第１グループＧＡの領域」と記載することがある。また、「第２グループＧＢに含まれる検出電極Ｒｘが位置する領域」を「第２グループＧＢの領域」と記載することがある。他のグループに含まれる検出電極Ｒｘが位置する領域についても、同様のルールで記載することがある。また、全ての検出電極Ｒｘが含まれる領域を「タッチ検出領域ＡＬＬＡ」と記載することがある（図２８参照）。タッチ検出領域ＡＬＬＡは、実施形態１における第１グループＧＡの領域と第２グループＧＢの領域を合わせた領域である。
【００１５】
回路部５０は、例えばタッチ検出パネル１０のガラス基板上にチップオングラス（ＣＯＧ：Chip  On  Glass）方式で実装される。回路部５０は、他の方式で実装されていてもよい。例えば、回路部５０は、タッチ検出パネル１０から延出するよう設けられたフレキシブルプリント基板上に形成されていてもよいし、当該フレキシブルプリント基板を介して接続された別の基板上に形成されていてもよい。
【００１６】
回路部５０は、例えば、検出回路５１、選択回路５２、演算部５３、電位生成部５４、タイミング制御部５５、駆動回路５６等を有する。実施形態１では、回路部５０の構成のうち駆動回路５６を除く構成は、１つの集積回路である制御回路５０ａに設けられる。また、検出回路５１と選択回路５２は、制御回路５０ａの一構成として実装されたアナログフロントエンド（ＡＦＥ：Analog  Front  End）に設けられている。選択回路５２と検出回路５１とは個別の回路であってもよい。
【００１７】
図３は、ＡＦＥの構成例を示す模式図である。検出回路５１は、第１の所定数以下の検出電極Ｒｘの静電容量の変化を検出する。具体的には、検出回路５１は、複数の電圧検出器ＤＥＴを有する。電圧検出器ＤＥＴの各々は、検出回路５１の入力側の配線ＬＣに入力された静電容量に応じた電圧を出力側の端子ＯＰに生じさせる。ＡＦＥの出力部は、第１の所定数の電圧検出器ＤＥＴの出力側の端子ＯＰと接続されている。検出回路５１の入力チャネル及び出力チャネルの数（配線ＬＣ及び端子ＯＰの数）は、電圧検出器ＤＥＴの数と等しい。検出回路５１と接続されている検出電極Ｒｘの数は、第１の所定数以下である。
【００１８】
検出電極Ｒｘの数は、第１の所定数よりも大きい第２の所定数である。選択回路５２は、入力側の端子ＩＰが第２の所定数の検出電極Ｒｘのうち第１の所定数以下の検出電極Ｒｘを選択可能に設けられている。すなわち、端子ＩＰの数は、第１の所定数以下である。また、選択回路５２の出力側は、検出回路５１の入力側と接続している。具体的には、選択回路５２は、例えばマルチプレクサである。選択回路５２の入力側の端子ＩＰは、２つの配線のグループ（第１配線グループＬＡ，第２配線グループＬＢ）のうちいずれか一方を選択して接続可能に設けられている。第１グループＧＡに含まれる検出電極Ｒｘは、第１配線グループＬＡを介して選択回路５２の入力側の端子ＩＰと接続されている。第２グループＧＢに含まれる検出電極Ｒｘは、第２配線グループＬＢを介して選択回路５２の入力側の端子ＩＰと接続されている。選択回路５２の出力側は、配線ＬＣと接続されている。
【００１９】
実施形態１では、検出電極Ｒｘの数と選択回路５２の入力側の端子ＩＰの数（２つの配線のグループに含まれる配線の総数）は等しい（例えば、９６）。また、１つのグループに含まれる検出電極Ｒｘの数と１つの配線のグループに含まれる配線の数と選択回路５２の出力側の配線ＬＣの数と電圧検出器ＤＥＴの数は等しい（例えば、４８）。すなわち、実施形態１では、第１の所定数が４８であり、第２の所定数が９６である。実施形態１における第１の所定数及び第２の所定数の具体的な値はあくまで一例であってこれに限られるものでなく適宜変更可能である。第１の所定数の値は、第２の所定数の値よりも小さい自然数であればよい。ＡＦＥの出力、すなわち、検出回路５１の出力は、図示しないアナログ（Analog）／デジタル（Digital）変換回路（Ａ／Ｄコンバータ）によってデジタル化されて演算部５３に入力される。タッチ検出パネル１０は、ＡＦＥ、駆動回路５６が具備された構成であってもよい。この場合、演算部５３等の回路は、例えばタッチ検出パネル１０に接続されたフレキシブルプリント基板（ＦＰＣ：Flexible  Printed  Circuits）又はＦＰＣを介してタッチ検出パネル１０と接続された基板上に形成される。
【００２０】
演算部５３は、タッチ検出装置１の動作に関する各種の演算処理を行う。具体的には、演算部５３は、例えばＡＦＥの出力に基づいてタッチ検出（第１タッチ検出及び第２タッチ検出）を行う。また、演算部５３は、第１タッチ検出に基づいて駆動回路５６の動作タイミングを制御する。
【００２１】
ここで、第１タッチ検出と第２タッチ検出について順に説明する。第１タッチ検出は、検出電極Ｒｘの自己（Ｓｅｌｆ）静電容量に基づいた、所謂自己静電容量方式のタッチ検出である。図４〜図６を参照して、自己静電容量方式のタッチ検出の基本原理について説明する。図４は、自己静電容量方式のタッチ検出の基本原理を説明するための、指Ｆｉが接触または近接していない状態を表す説明図である。図５は、自己静電容量方式のタッチ検出の基本原理を説明するための、指Ｆｉが接触または近接した状態を表す説明図である。図６は、駆動信号Ｅｘｖｃｏｍ及びタッチ検出信号の波形の一例を表す図である。以下の説明では、ヒトの指Ｆｉが接触または近接する場合を例として説明するが、タッチ操作は指Ｆｉに限られず、導体を含むスタイラスペン等の装置を介して行われてもよい。
【００２２】
図４に示すように、指Ｆｉが接触または近接していない状態において、第１電極Ｅ１に所定の周波数（例えば数ｋＨｚ〜数百ｋＨｚ程度）の交流矩形波Ｓｇ１が印加される。第１電極Ｅ１は、静電容量Ｃ１を有しており、静電容量Ｃ１に応じた電流が流れる。セルフ信号出力部ＤＡの電圧検出器ＤＥＴは、交流矩形波Ｓｇ１に応じた電流の変動を電圧の変動（実線の波形Ｖ4（図６参照））に変換する。
【００２３】
次に、図５に示すように、指Ｆｉが接触または近接した状態において、指Ｆｉとタッチ検出との間の静電容量Ｃ２が、第１電極Ｅ１の静電容量Ｃ１に加わる。したがって、第１電極Ｅ１に交流矩形波Ｓｇ１が印加されると、静電容量Ｃ１及びＣ２に応じた電流が流れる。図６に示すように、電圧検出器ＤＥＴは、交流矩形波Ｓｇ１に応じた電流の変動を電圧の変動（点線の波形Ｖ5）に変換する。そして、得られた波形Ｖ4及び波形Ｖ5の電圧値をそれぞれ積分し、これらの値を比較することで、第１電極Ｅ１への、指Ｆｉの接触または近接の有無を判別することができる。なお、図６では、波形Ｖ2と波形Ｖ3について、所定の基準電圧に低下するまでの期間を求めて、これらの期間を比較する等の方法であってもよい。
【００２４】
具体的には、図４及び図５に示すように、第１電極Ｅ１はスイッチＳＷ１及びスイッチＳＷ２で切り離すことが可能な構成となっている。図６において、時刻Ｔ01のタイミングで交流矩形波Ｓｇ１は電圧Ｖ0に相当する電圧レベルを上昇させる。このときスイッチＳＷ１はオンしておりスイッチＳＷ２はオフしている。このため第１電極Ｅ１も電圧Ｖ0の電圧上昇となる。ここで、スイッチＳＷ１がオフになると、第１電極Ｅ１はフローティング状態になる。フローティング状態の第１電極Ｅ１は、第１電極Ｅ１の静電容量Ｃ１（図４参照）、あるいは第１電極Ｅ１の静電容量Ｃ１に指Ｆｉ等の接触または近接よる静電容量Ｃ２を加えた容量（Ｃ１＋Ｃ２、図５参照）によって、電圧Ｖ0が維持される。更に、時刻Ｔ11のタイミングの前にスイッチＳＷ３をオンさせ所定の時間経過後にオフさせ電圧検出器ＤＥＴをリセットさせる。このリセット動作により出力電圧は基準電圧Ｖｒｅｆと略等しい電圧となる。
【００２５】
続いて、時刻Ｔ11のタイミングでスイッチＳＷ２をオンさせると、電圧検出器ＤＥＴの反転入力部が第１電極Ｅ１の電圧Ｖ0となる。その後、第１電極Ｅ１の静電容量Ｃ１（またはＣ１＋Ｃ２）と電圧検出器ＤＥＴ内の静電容量Ｃ３の時定数に従って電圧検出器ＤＥＴの反転入力部は基準電圧Ｖｒｅｆまで低下する。このとき、第１電極Ｅ１の静電容量Ｃ１（またはＣ１＋Ｃ２）に蓄積されていた電荷が電圧検出器ＤＥＴ内の静電容量Ｃ３に移動する。このため、電圧検出器ＤＥＴの出力（Ｒ１）が上昇する。第１電極Ｅ１に指Ｆｉ等が近接していないとき、電圧検出器ＤＥＴの出力（Ｒ１）は、実線で示す波形Ｖ4となる。波形Ｖ4が示す電圧検出器ＤＥＴの出力（Ｒ１）は、Ｒ１＝Ｃ１・Ｖ0／Ｃ３となる。指Ｆｉ等の影響による容量が付加されたとき、電圧検出器ＤＥＴの出力（Ｒ１）は、点線で示す波形Ｖ5となる。波形Ｖ5が示す電圧検出器ＤＥＴの出力（Ｒ１）は、Ｒ１＝（Ｃ１＋Ｃ２）・Ｖ0／Ｃ３となる。その後、所定タイミングでスイッチＳＷ２をオフさせ、スイッチＳＷ１及びスイッチＳＷ３をオンさせる。これにより、第１電極Ｅ１の電位を交流矩形波Ｓｇ１と同電位のローレベルにするとともに電圧検出器ＤＥＴをリセットさせる。所定タイミングとは、例えば、第１電極Ｅ１の静電容量Ｃ１（またはＣ１＋Ｃ２）の電荷が静電容量Ｃ３に十分移動した後の時刻Ｔ３１のタイミングである。なお、このとき、スイッチＳＷ１をオンさせるタイミングは、スイッチＳＷ２をオフさせた後、時刻Ｔ02以前であればいずれのタイミングでもよい。また、電圧検出器ＤＥＴをリセットさせるタイミングは、スイッチＳＷ２をオフさせた後、時刻Ｔ12以前であればいずれのタイミングとしてもよい。以上の動作を所定の周波数（例えば数ｋＨｚ〜数百ｋＨｚ程度）で繰り返す。波形Ｖ4と波形Ｖ5との差分の絶対値｜ΔＶ｜に基づいて、外部近接物体の有無（タッチの有無）を測定することができる。なお、第１電極Ｅ１の電位は、図６に示すように、指Ｆｉ等が近接していないとき、Ｖ2の波形となる。また、第１電極Ｅ１の電位は、指Ｆｉ等の影響による静電容量Ｃ２が付加されるとき、Ｖ3の波形となる。波形Ｖ2と波形Ｖ3とが、それぞれ所定の電圧ＶTHまで下がる時間を測定することにより外部近接物体の有無（タッチの有無）を測定することも可能である。検出電極Ｒｘは、自己静電容量方式の第１電極Ｅ１として機能する。
【００２６】
第２タッチ検出は、駆動電極Ｔｘと検出電極Ｒｘの相互（Ｍｕｔｕａｌ）静電容量に基づいた、所謂相互静電容量方式のタッチ検出である。図７〜図９を参照して、相互静電容量方式のタッチ検出の基本原理について説明する。図７は、相互静電容量方式のタッチ検出の基本原理を説明するための、指Ｆｉが接触または近接していない状態を表す説明図である。図８は、図７に示す指Ｆｉが接触または近接していない状態の等価回路の例を示す説明図である。図９は、駆動信号Ｅｘｖｃｏｍ及びタッチ検出信号の波形の一例を表す図である。
【００２７】
例えば、図７に示すように、容量素子Ｃは、誘電体Ｄを挟んで互いに対向配置された一対の電極、第２電極Ｅ２及び第３電極Ｅ３を備えている。図８に示すように、容量素子Ｃは、その一端が交流信号源（駆動信号源）Ｓに結合され、他端はミューチャル信号出力部ＤＢの電圧検出器ＤＥＴに結合される。
【００２８】
第２電極Ｅ２（容量素子Ｃの一端）には、交流信号源Ｓから所定の周波数（例えば数ｋＨｚ〜数百ｋＨｚ程度）の交流矩形波Ｓｇ２が印加される。これにより、第３電極Ｅ３（容量素子Ｃの他端）側に接続された電圧検出器ＤＥＴを介して、図９に示すような出力波形（タッチ検出信号Ｒ２）が現れる。なお、この交流矩形波Ｓｇ２は、例えば、駆動回路５６が出力する駆動信号Ｅｘｖｃｏｍである。
【００２９】
指Ｆｉが接触（または近接）していない状態（非接触状態）では、図７及び図８に示すように、容量素子Ｃに対する充放電に伴って、容量素子Ｃの容量値に応じた出力（電流Ｉ）が流れる。図９に示すように、電圧検出器ＤＥＴは、交流矩形波Ｓｇ２に応じた電流Ｉの変動を電圧の変動（実線の波形Ｖa）に変換する。
【００３０】
一方、指Ｆｉが接触（または近接）した状態（接触状態）では、指Ｆｉによって形成される静電容量が第３電極Ｅ３と接している又は近傍にある。これにより、第２電極Ｅ２及び第３電極Ｅ３の間にあるフリンジ分の静電容量が遮られ、容量素子Ｃが非接触状態の容量値よりも小さい容量値の容量素子として作用する。そして、容量素子Ｃの変化に応じて変動する電流Ｉが流れる。図９に示すように、電圧検出器ＤＥＴは、交流矩形波Ｓｇ２に応じた電流Ｉの変動を電圧の変動（点線の波形Ｖb）に変換する。この場合、波形Ｖbは、上述した波形Ｖaと比べて振幅が小さくなる。これにより、波形Ｖaと波形Ｖbとの電圧差分の絶対値｜Δｖ｜は、指Ｆｉなどの外部から近接する物体の影響に応じて変化することになる。なお、電圧検出器ＤＥＴは、回路内のスイッチングにより、交流矩形波Ｓｇ２の周波数に合わせて、コンデンサの充放電をリセットする期間Ｒｅｓｅｔを設けた動作とすることがより好ましい。これにより、波形Ｖaと波形Ｖbとの電圧差分の絶対値｜Δｖ｜をより精度よく検出することができる。
【００３１】
図１０は、駆動電極Ｔｘと検出電極Ｒｘの配置例及び駆動電極Ｔｘの走査方向の例を表す斜視図である。駆動電極Ｔｘは、第２電極Ｅ２として機能する。検出電極Ｒｘは、相互静電容量方式でタッチ検出を行うための第３電極Ｅ３として機能する。
【００３２】
駆動電極Ｔｘと検出電極Ｒｘとがねじれの位置関係で交差した電極パターンは、その交差部分に静電容量を生じさせる。具体的には、例えば駆動回路５６が駆動電極Ｔｘに対して駆動信号Ｅｘｖｃｏｍとして出力する交流矩形波Ｓｇ２に応じて、駆動電極Ｔｘと検出電極Ｒｘとの間に相互静電容量が生じる。この相互静電容量の出力に基づいて、ミューチャル信号出力部ＤＢを有する相互静電容量信号出力部７２がタッチ検出信号Ｒ２を出力する。
【００３３】
図１０に示すように交差した電極パターンは、検出領域内で静電容量式タッチセンサをマトリクス状に構成している。よって、タッチ検出部３のタッチ検出面として機能する表示面側の表示エリア部２１全体にわたって走査することにより、外部近接物体の接触又は近接が生じた位置の検出を行うことができるようになっている。これによって図１０に示す矢印が示す走査方向に沿ってタッチ検出が行われるようになっている。
【００３４】
電位生成部５４は、例えば回路部５０の動作に適当な各種の電圧を出力し、回路部５０が動作するための電力を供給する。タイミング制御部５５は、タッチ検出装置１の各部の動作を同期させるための各種の信号を出力する。具体的には、タイミング制御部５５は、例えば第１同期信号ＴＳＶＤと第２同期信号ＴＳＨＤを出力する（図１３等参照）。第１同期信号ＴＳＶＤは、例えば６０分の１秒毎に出力されるパルスである。第２同期信号ＴＳＨＤは、第１同期信号ＴＳＶＤよりも短い時間間隔で出力されるパルスである。
【００３５】
駆動回路５６は、タイミング制御部５５によるタイミング制御下で複数の駆動電極Ｔｘに駆動信号駆動信号Ｅｘｖｃｏｍを順次出力して駆動電極Ｔｘを走査する（図１０参照）。駆動回路５６が駆動信号Ｅｘｖｃｏｍを出力するチャネルの数は、駆動電極Ｔｘの数と等しい。駆動電極Ｔｘの数は任意である。
【００３６】
次に、図１１を参照してタッチ検出装置１によるタッチ検出の基本的な流れを説明する。図１１は、タッチ検出装置１によるタッチ検出の基本的な流れを示すフローチャートである。タッチ検出装置１の動作開始（ステップＳ１）後、第１タッチ検出が行われる（ステップＳ２）。実施形態１の第１タッチ検出は、複数のグループの各々の検出電極Ｒｘの自己静電容量に基づいたタッチ検出である。
【００３７】
第１タッチ検出でタッチ操作が検出されなかった場合（ステップＳ３；Ｎｏ）、所定時間間隔をおいて再度ステップＳ２の処理が行われる。すなわち、第１タッチ検出でタッチ操作が検出されない間は、所定時間間隔（例えば、約１２０分の１秒間隔）で第１タッチ検出が繰り返される。一方、第１タッチ検出でタッチ操作が検出された場合（ステップＳ３；Ｙｅｓ）、第２タッチ検出が行われる（ステップＳ４）。実施形態１の第２タッチ検出は、第１タッチ検出でタッチ操作に応じた自己静電容量を検出された検出電極Ｒｘを含むグループの検出電極Ｒｘの相互静電容量に基づいたタッチ検出である。ステップＳ４の処理の実施後、動作終了まで（ステップＳ５；Ｎｏ）直前のステップＳ２の処理から所定時間間隔をおいて再度ステップＳ２の処理が行われる。すなわち、第２タッチ検出が行われる場合であっても、所定時間間隔で第１タッチ検出が繰り返される。第２タッチ検出は、繰り返される第１タッチ検出の間に行われる。
【００３８】
第１タッチ検出でタッチ操作が検出されたかの判定と、当該判定に応じた第２タッチ検出の実施の有無及び選択回路５２による検出電極Ｒｘの選択の切り替えに関する処理は、例えば演算部５３が行う。また、演算部５３は、第１タッチ検出及び第２タッチ検出でタッチ操作が検出された位置を特定するための演算を行う。
【００３９】
図１２は、第２タッチ検出が行われない場合における第１タッチ検出の繰り返し実施例を示す模式図である。図１３は、図１２に示す第２タッチ検出が行われない場合における第１タッチ検出の繰り返し実施例のタイミングチャートである。実施形態１における第１タッチ検出は、グループ単位で順次行われる。具体的には、例えば図１２に示すように、第１グループＧＡに含まれる検出電極Ｒｘを用いた第１タッチ検出と、第２グループＧＢに含まれる検出電極Ｒｘを用いた第１タッチ検出とが順次行われる。より具体的には、まず、選択回路５２によって第１グループＧＡに含まれる検出電極Ｒｘと検出回路５１とが接続される。検出回路５１が接続された第１グループＧＡに含まれる検出電極Ｒｘを用いた第１タッチ検出が行われる。その後、選択回路５２によって第２グループＧＢに含まれる検出電極Ｒｘと検出回路５１とが接続される。検出回路５１が接続された第２グループＧＢに含まれる検出電極Ｒｘを用いた第１タッチ検出が行われる。
【００４０】
以後、第１グループＧＡに含まれる検出電極Ｒｘと検出回路５１とが接続された状態で行われる第１タッチ検出を「第１グループＧＡの第１タッチ検出」と記載することがある。また、第２グループＧＢに含まれる検出電極Ｒｘと検出回路５１とが接続された状態で行われる第１タッチ検出を「第２グループＧＢの第１タッチ検出」と記載することがある。同様に、第２タッチ検出についても、選択回路５２によって第１グループＧＡ（又は第２グループＧＢ）に含まれる検出電極Ｒｘと検出回路５１とが接続された状態で行われる第２タッチ検出を「第１グループＧＡ（又は第２グループＧＢ）の第２タッチ検出」と記載することがある。他のグループに含まれる検出電極Ｒｘを用いた第１タッチ検出又は第２タッチ検出についても、同様のルールで記載することがある。
【００４１】
順次行われた第１グループＧＡの第１タッチ検出及び第２グループＧＢの第１タッチ検出のいずれにおいても、タッチ操作が検出されなかった場合、第２タッチ検出は行われず、所定時間間隔で第１タッチ検出が繰り返される。第１グループＧＡの第１タッチ検出及び第２グループＧＢの第１タッチ検出は、予め定められた周波数（例えば、１２０［Ｈｚ］）に従って行われる。
【００４２】
より具体的には、第１出力周波数（例えば、６０［Ｈｚ］）に従い、第１同期信号ＴＳＶＤが出力される。また、第２出力周波数（例えば、（駆動電極Ｔｘの数＋２）×１２０［Ｈｚ］）に従い、第２同期信号ＴＳＶＤが出力される。第１タッチ検出の実施タイミングは、第１同期信号ＴＳＶＤ及び第２同期信号ＴＳＶＤに基づいて定められている。図１３等では、第１グループＧＡの第１タッチ検出が行われるタイミングに対応する第２同期信号ＴＳＶＤのパルスＳｅｌｆ１と、第２グループＧＢの第１タッチ検出が行われるタイミングに対応する第２同期信号ＴＳＶＤのパルスＳｅｌｆ２とを符号付きで図示している。また、図１３等では、第１タッチ検出が行われるタイミングを「Ｓｅｌｆ」のパルスで図示している。また、図１３等における「Ｓｅｌｆ」のパルスに付されたマスキングは、対応する模式例（例えば、図１３に対する図１２）で第１タッチ検出に用いられる検出電極Ｒｘを含む領域に付されたマスキングと対応している。
【００４３】
順次行われた第１グループＧＡの第１タッチ検出及び第２グループＧＢの第１タッチ検出の少なくともいずれか一方でタッチ操作が検出された場合、第２タッチ検出が行われる。まず、図１４及び図１５を参照して第１グループＧＡの第２タッチ検出が行われる場合を説明する。次に、図１６及び図１７を参照して第２グループＧＢの第２タッチ検出が行われる場合を説明する。次に、図１８及び図１９を参照して第１グループＧＡの第２タッチ検出及び第２グループＧＢの第２タッチ検出が行われる場合を説明する。なお、図１４等では、タッチ操作の例として、指Ｆｉによるタッチ操作を図示している。
【００４４】
図１４は、第１グループＧＡの第２タッチ検出が行われる場合を示す模式図である。図１５は、第１グループＧＡの第２タッチ検出が行われる場合のタイミングチャートである。例えば図１４に示す例では、第１グループＧＡの領域でタッチ操作が行われている。このため、第１グループＧＡの第１タッチ検出ではタッチ操作が検出される。この場合、第１グループＧＡの第２タッチ検出が行われる。一方、図１４に示す例では第２グループＧＢの領域でタッチ操作が行われていない。このため、第２グループＧＢの第１タッチ検出ではタッチ操作が検出されない。この場合、第２グループＧＢの第２タッチ検出は行われない。
【００４５】
具体的には、例えば図１５に示すように、パルスＳｅｌｆ１，Ｓｅｌｆ２を除く第２同期信号ＴＳＶＤのパルスの出力タイミングに応じて駆動回路５６が駆動信号Ｅｘｖｃｏｍを順次出力する。これによって検出面が駆動電極Ｔｘの並び方向（例えば、Ｘ方向）に走査される。このような検出面の走査が行われる期間、図１４及び図１５に示す例では、選択回路５２によって第１グループＧＡに含まれる検出電極Ｒｘと検出回路５１とが接続された状態となっている。これによって、第１グループＧＡの第２タッチ検出が行われる。図１４及び図１５に示す例の場合、第１グループＧＡの第２タッチ検出のレポートレートは１２０［Ｈｚ］になる。
【００４６】
図１５等で図示されている駆動信号Ｅｘｖｃｏｍのパルスに付されているマスキングは、対応する模式例（例えば、図１５に対する図１４）で第２タッチ検出に用いられる検出電極Ｒｘを含む領域に付されたマスキングと対応している。また、図１５等における１グループの駆動信号Ｅｘｖｃｏｍのパルスは、複数の駆動電極Ｔｘの各々に対して個別に出力される駆動信号Ｅｘｖｃｏｍによって行われる走査を示している。１グループの駆動信号Ｅｘｖｃｏｍのパルスは、連続する複数の駆動信号Ｅｘｖｃｏｍのパルスを含む。１グループの駆動信号Ｅｘｖｃｏｍのパルスが含むパルスの数は、例えば駆動電極Ｔｘの数に対応する。図１５等における第２同期信号ＴＳＶＤのパルスＴｘ１，Ｔｘ２，Ｔｘ３，…，ＴｘＮ−１，ＴｘＮは、総数がＮである駆動電極Ｔｘの各々に個別に出力される駆動信号Ｅｘｖｃｏｍのタイミングに対応するパルスである。各グループの駆動信号Ｅｘｖｃｏｍのパルスは、パルスＳｅｌｆ１，Ｓｅｌｆ２の出力タイミングで区切られている。このように、第１タッチ検出が所定周期で行われ、タッチ操作に応じた自己静電容量を検出された検出電極Ｒｘが１つ以上ある場合、第１タッチ検出が行われていないタイミングで第２タッチ検出が行われる。
【００４７】
図１６は、第２グループＧＢの第２タッチ検出が行われる場合を示す模式図である。図１７は、第２グループＧＢの第２タッチ検出が行われる場合のタイミングチャートである。図１６に示す例では、第２グループＧＢの領域でタッチ操作が行われている。このため、第２グループＧＢの第１タッチ検出ではタッチ操作が検出される。この場合、第２グループＧＢの第２タッチ検出が行われる。一方、図１６に示す例では第１グループＧＡの領域でタッチ操作が行われていない。このため、第１グループＧＡの第１タッチ検出ではタッチ操作が検出されない。この場合、第１グループＧＡの第２タッチ検出は行われない。
【００４８】
図１６及び図１７に示す例では、検出面の走査が行われる期間、選択回路５２によって第２グループＧＢに含まれる検出電極Ｒｘと検出回路５１とが接続された状態となっている。これによって、第２グループＧＢの第２タッチ検出が行われる。図１６及び図１７に示す例の場合、第２グループＧＢの第２タッチ検出のレポートレートは１２０［Ｈｚ］になる。これらの例が示すように、選択回路５２は、複数のグループのいずれか１つの検出電極Ｒｘとして選択された検出電極Ｒｘがタッチ操作に応じた自己静電容量を検出された場合、第２タッチ検出のタイミングで当該１つのグループに含まれる検出電極Ｒｘを選択して接続する。
【００４９】
図１８は、第１グループＧＡの第２タッチ検出及び第２グループＧＢの第２タッチ検出が行われる場合を示す模式図である。図１９は、第１グループＧＡの第２タッチ検出及び第２グループＧＢの第２タッチ検出が行われる場合のタイミングチャートである。図１８に示す例では、第１グループＧＡの領域及び第２グループＧＢの領域でタッチ操作が行われている。このため、第１グループＧＡの第１タッチ検出及び第２グループＧＢの第１タッチ検出の両方でタッチ操作が検出される。この場合、第１グループＧＡの第２タッチ検出と第２グループＧＢの第２タッチ検出とが交互に行われる。図１８及び図１９に示す例では、パルスＳｅｌｆ１，Ｓｅｌｆ２の出力タイミングを挟んで、検出回路５１と接続される検出電極Ｒｘが第１グループＧＡと第２グループＧＢとで交互に入れ替わっている。図１８及び図１９に示す例の場合、第１グループＧＡの第２タッチ検出と第２グループＧＢの第２タッチ検出のレポートレートはそれぞれ６０［Ｈｚ］になり、合わせて１２０［Ｈｚ］になる。このように、駆動電極Ｔｘと相互静電容量を生じる検出電極Ｒｘは、タッチ操作に応じた自己静電容量を検出された検出電極Ｒｘを含むグループの検出電極Ｒｘである。
【００５０】
図２０は、第１グループＧＡの第２タッチ検出及び第２グループＧＢの第２タッチ検出が行われる別の場合を示す模式図である。図２０に示すように、１か所に対するタッチ操作によって第１グループＧＡの領域及び第２グループＧＢの領域の両方でタッチ操作が検出される場合もある。このような場合、図１８及び図１９を参照して説明した場合と同様、第１グループＧＡの第２タッチ検出と第２グループＧＢの第２タッチ検出とが交互に行われる。
【００５１】
以上説明したように、実施形態１によれば、検出電極Ｒｘと検出回路５１が第２の所定数の検出電極Ｒｘのうち第１の所定数以下の検出電極Ｒｘを選択可能に設けられた選択回路５２を介して接続されるので、検出電極Ｒｘの数未満の検出回路５１の入力チャネル数で対応可能となる。
【００５２】
また、第２の所定数の検出電極Ｒｘは、選択回路５２が行う検出電極Ｒｘの選択によって、それぞれが１つ以上かつ第１の所定数以下の検出電極Ｒｘを含む複数のグループにグループ分けされる。このため、検出回路５１と接続される検出電極Ｒｘをグループ単位で選択することができる。このため、検出電極Ｒｘの選択に関する制御をより単純にすることができる。
【００５３】
また、複数の検出電極Ｒｘはそれぞれ、選択回路５２によっていずれか１つのグループ（例えば、第１グループＧＡ又は第２グループＧＢの一方）に含まれる検出電極Ｒｘとして選択される。従って、いずれかの検出電極Ｒｘでタッチ操作が検出された場合に、タッチ操作が検出された検出電極Ｒｘが含まれるグループを１つに特定することができる。
【００５４】
また、第１タッチ検出がグループ単位で順次行われるので、第１タッチ検出が行われる期間に検出回路５１と接続される検出電極Ｒｘをグループ単位で選択することができる。このため、検出電極Ｒｘの選択に関する制御をより単純にすることができる。
【００５５】
また、第１タッチ検出が所定周期で行われ、第１タッチ検出でタッチ操作に応じた自己静電容量を検出された検出電極Ｒｘが１つ以上ある場合、第１タッチ検出が行われていないタイミングに第２タッチ検出が行われる。このため、相互静電容量に基づいたより精密なタッチ検出が求められる場合に第２タッチ検出を行い、それ以外の場合に第２タッチ検出を省略することができる。従って、タッチ検出装置１の消費電力をより抑制しやすくなる。さらに、実施形態１によれば、より高いレポートレート（例えば１２０［Ｈｚ］）を実現することができる。
【００５６】
（実施形態２）
次に、本発明の実施形態２について説明する。実施形態２の説明では、実施形態１と同様の構成に同じ符号を付して説明を省略する。
【００５７】
図２１は、実施形態２における検出電極Ｒｘのグループの例を示す模式図である。実施形態１では、複数の検出電極Ｒｘはそれぞれ、選択回路５２によっていずれか１つのグループに含まれる検出電極Ｒｘとして選択される。これに対し、実施形態２では、選択回路５２によっていずれか１つのグループの検出電極Ｒｘとして選択される複数の検出電極Ｒｘのうち一部の検出電極Ｒｘは、他の１つのグループにも含まれる。
【００５８】
具体的には、実施形態２における選択回路５２は、例えば図２１に示すように、第２の所定数の検出電極Ｒｘを２つのグループ（第１グループＧＡ１、第２グループＧＢ１）の少なくとも一方の検出電極Ｒｘとして選択する。第１グループＧＡ１の領域と、第２グループＧＢ１の領域とは、一部が重複している。図２１では、第１グループＧＡ１の領域と第２グループＧＢ１の領域との重複領域ＯＬを挟むように、第１非重複領域ＮＯＬＡと第２非重複領域ＮＯＬＢとが位置している。第１非重複領域ＮＯＬＡは、第２グループＧＢ１の領域と重複しない第１グループＧＡ１の領域である。第２非重複領域ＮＯＬＢは、第１グループＧＡ１の領域と重複しない第２グループＧＢ１の領域である。重複領域ＯＬに配置されている検出電極Ｒｘは、２つのグループ第１グループＧＡ１、第２グループＧＢ１に含まれる検出電極Ｒｘである。第１非重複領域ＮＯＬＡに配置されている検出電極Ｒｘは、第１グループＧＡ１に含まれる検出電極Ｒｘである。第１非重複領域ＮＯＬＡに配置されている検出電極Ｒｘは、第１グループＧＡ１に含まれ、かつ、第２グループＧＢ１に含まれない検出電極Ｒｘである。第２非重複領域ＮＯＬＢに配置されている検出電極Ｒｘは、第２グループＧＢ１に含まれ、かつ、第１グループＧＡ１に含まれない検出電極Ｒｘである。
【００５９】
ここで、検出電極Ｒｘの数が９６であるとして、各領域の検出電極Ｒｘの数について一例を挙げる。第１グループＧＡ１の領域に位置する検出電極Ｒｘの数は、６４である。また、第２グループＧＢ１の領域に位置する検出電極Ｒｘの数は、６４である。重複領域ＯＬの領域に位置する検出電極Ｒｘの数は、４０である。第１非重複領域ＮＯＬＡの領域及び第２非重複領域ＮＯＬＢの領域の各々に位置する検出電極Ｒｘの数は、２４である。すなわち、当該一例の場合、第１グループＧＡ１と第２グループＧＢ１は、４０の検出電極Ｒｘを共有する。重複領域ＯＬの領域に位置する検出電極Ｒｘは、例えば検出面におけるＹ方向の中央寄りの４０の検出電極Ｒｘであるが、これは重複領域ＯＬの領域の配置例であってこれに限られるものでない。各領域の検出電極Ｒｘの数及び位置は任意である。また、検出回路５１に同時接続可能な検出電極Ｒｘの数及び選択回路５２で選択可能な検出電極Ｒｘの数は、１つのグループに含まれる検出電極Ｒｘの数に対応する（当該一例の場合、６４）。
【００６０】
図２２は、重複領域ＯＬでタッチ操作が検出された場合の一例を示す模式図である。図２３は、重複領域ＯＬ、第１非重複領域ＮＯＬＡ及び第２非重複領域ＮＯＬＢでタッチ操作が検出された場合の一例を示す模式図である。実施形態２では、第１タッチ検出において重複領域ＯＬでタッチ操作が検出された場合、第１非重複領域ＮＯＬＡ、第２非重複領域ＮＯＬＢの各々でタッチ操作が検出されているかどうかによって第２タッチ検出の対象となるグループが決定される。
【００６１】
例えば、図２２に示すように、第１タッチ検出において重複領域ＯＬでタッチ操作が検出され、第１非重複領域ＮＯＬＡ及び第２非重複領域ＮＯＬＢでタッチ操作が検出されなかった場合、第１グループＧＡ１の第２タッチ検出又は第２グループＧＢ１の第２タッチ検出のうちいずれか一方が行われる。これは、いずれか一方を行えば、重複領域ＯＬの第２タッチ検出を行うことができるからである。図２２では、第１グループＧＡ１の第２タッチ検出を行う場合を例示しているが、第２グループＧＢ１の第２タッチ検出を行うようにしてもよい。この場合、タイミングチャートは実施形態１の説明で参照した図１５と同様になる。ただし、実施形態１における第１グループＧＡは、実施形態２において第１グループＧＡ１（又は第２グループＧＢ１）に置換される。
【００６２】
また、図２３に示すように、第１タッチ検出において重複領域ＯＬ、第１非重複領域ＮＯＬＡ及び第２非重複領域ＮＯＬＢでタッチ操作が検出された場合、第１グループＧＡ１の第２タッチ検出と第２グループＧＢ１の第２タッチ検出とが交互に行われる。この場合、タイミングチャートは実施形態１の説明で参照した図１９と同様になる。ただし、実施形態１における第１グループＧＡ、第２グループＧＢは、実施形態２において第１グループＧＡ１、第２グループＧＢ１に置換される。
【００６３】
なお、第１タッチ検出において第１非重複領域ＮＯＬＡと第２非重複領域ＮＯＬＢのいずれか一方でタッチ操作が検出され、他方でタッチ操作が検出されなかった場合、第２タッチ検出の対象となるグループは一方を含むグループである。第１タッチ検出でタッチ操作が検出された位置が重複領域ＯＬであるかの判定等、タッチ検出に関する各種の処理は、実施形態１と同様、例えば演算部５３が行う。以上、特筆した点を除いて、実施形態２は、実施形態１と同様である。
【００６４】
実施形態２によれば、選択回路５２によっていずれか１つのグループ（例えば、第１グループＧＡ又は第２グループＧＢの一方）の検出電極Ｒｘとして選択される複数の検出電極Ｒｘのうち一部は、他の１つのグループにも含まれる。このため、タッチ操作がより行われやすい位置の検出電極Ｒｘを２つのグループに含まれる検出電極Ｒｘとすることで、タッチ操作の検出をより確実に行いやすくなる。
【００６５】
また、タッチ操作に応じた自己静電容量を検出された検出電極Ｒｘが２つのグループに含まれる検出電極Ｒｘ（例えば、重複領域ＯＬの検出電極Ｒｘ）となる場合がある。この場合、駆動電極Ｔｘと相互静電容量を生じる検出電極Ｒｘは、当該２つのグループのうち一方のグループに含まれる検出電極Ｒｘである。このため、検出電極Ｒｘの切り替え頻度を最小限にすることができるとともに、検出電極Ｒｘの切り替えに関する制御をより単純にすることができる。
【００６６】
（実施形態３）
次に、本発明の実施形態３について説明する。実施形態３の説明では、実施形態１と同様の構成に同じ符号を付して説明を省略する。
【００６７】
図２４は、実施形態３において第２タッチ検出が行われる領域の一例を示す図である。図２５は、実施形態３において第２タッチ検出が行われる領域の別の一例を示す図である。実施形態３において第２タッチ検出で用いられる検出電極Ｒｘは、検出電極Ｒｘのグループと関係しない。第２タッチ検出で用いられる検出電極Ｒｘは、複数のグループの全てで行われた第１タッチ検出で自己静電容量を検出された検出電極Ｒｘを含む。当該第２タッチ検出で用いられる検出電極Ｒｘの数は、第１の所定数以下である。具体的には、例えば図２４に示すように、検出電極Ｒｘの並び方向（例えば、Ｙ方向）で見た場合に１か所のみのタッチ操作が第１タッチ検出で検出された場合、当該１か所を含む一続きの領域ＦＡに対応する検出電極Ｒｘが第２タッチ検出の対象となる。また、図２５に示すように、検出電極Ｒｘの並び方向（例えば、Ｙ方向）で見た場合に複数個所（例えば、２か所）のタッチ操作が第１タッチ検出で検出される場合がある。この場合、第２タッチ検出は、当該複数個所のうち１つをそれぞれ含む複数の所定領域（例えば、領域ＦＡ１，ＦＡ２）の各々に対応する検出電極Ｒｘが第２タッチ検出の対象となる。これらの例が示すように、実施形態３における演算部５３は、フリーエリアスキャン（Free  Area  Scan）を行う。フリーエリアスキャンとは、第１タッチ検出で自己静電容量を検出された検出電極Ｒｘを含む検出電極Ｒｘを動的に抽出して第２タッチ検出を行うことをさす。選択回路５２は、演算部５３の処理に応じ、第１タッチ検出で自己静電容量を検出された検出電極Ｒｘを含む検出電極Ｒｘを選択する。
【００６８】
実施形態３において、第２タッチ検出で選択される検出電極Ｒｘの数は、第１の所定数以下である。すなわち、一続きの領域ＦＡに対応する検出電極Ｒｘの数は、第１の所定数以下である。また、領域ＦＡ１に対応する検出電極Ｒｘの数と領域ＦＡ２に対応する検出電極Ｒｘの数を足し合わせた数は、第１の所定数以下である。
【００６９】
図２５に示す例のように、第１タッチ検出でタッチ操作が検出された２か所を一続きの領域ＦＡ（図２４参照）と同様の領域内に包括して含めることが困難又は不可能である場合がある。この場合、２つの領域ＦＡ１，ＦＡ２の各々に対応する検出電極Ｒｘが第２タッチ検出の対象となる。第１タッチ検出でタッチ操作が検出された複数個所を一続きの領域ＦＡに含めることができる場合、当該複数個所を含む一続きの領域ＦＡに対応する検出電極Ｒｘを第２タッチ検出の対象とするようにしてもよい。以上、特筆した点を除いて、実施形態３は、実施形態１と同様である。
【００７０】
実施形態３によれば、第１タッチ検出でタッチ操作が検出された位置に応じて、第２タッチ検出を行う期間に選択される検出電極Ｒｘを決定するので、タッチ操作が検出された位置付近の検出精度をより高くしやすくなる。
【００７１】
（実施形態４）
次に、本発明の実施形態４について説明する。実施形態４の説明では、実施形態１，２と同様の構成に同じ符号を付して説明を省略する。
【００７２】
図２６は、実施形態４における重複領域ＯＬ、第１非重複領域ＮＯＬＡ及び第２非重複領域ＮＯＬＢでタッチ操作が検出された場合の一例を示す模式図である。実施形態４では、タッチ操作に応じた自己静電容量を検出された検出電極Ｒｘが、複数のグループのうち２つのグループの各々固有の検出電極Ｒｘを含む場合がある。この場合、選択回路５２は、第２タッチ検出のタイミングで、当該２つのグループの両方に含まれる検出電極Ｒｘの全てと、第１選択電極と、第２選択電極とを選択して接続する。第１選択電極は、当該２つのグループの一方固有の検出電極Ｒｘの一部である。第２選択電極は、当該２つのグループの他方固有の検出電極Ｒｘの一部である。なお、ここでいう「グループ固有の検出電極Ｒｘ」とは、選択回路５２によって複数のグループのうちいずれか１つのグループがタッチ検出で用いられる場合に選択され、他のグループがタッチ検出で用いられる場合に選択されない検出電極Ｒｘをさす。
【００７３】
図２６では、第１タッチ検出において重複領域ＯＬ、第１非重複領域ＮＯＬＡ及び第２非重複領域ＮＯＬＢでタッチ操作が検出された場合を例示している。この場合、重複領域ＯＬの第２タッチ検出と、他の領域の一部の検出電極Ｒｘを用いた第２タッチ検出とが同時に行われる。「他の領域の一部の検出電極Ｒｘ」とは、第１非重複領域ＮＯＬＡと第２非重複領域ＮＯＬＢの各々に含まれる検出電極Ｒｘのうち一部の検出電極Ｒｘをさす。また、この場合、タイミングチャートは実施形態１の説明で参照した図１５と同様になる。ただし、実施形態１における第１グループＧＡは、重複領域ＯＬと、第１非重複領域ＮＯＬＡ及び第２非重複領域ＮＯＬＢの一部とを足し合わせたものに置換される。ここで、「重複領域ＯＬの領域に位置している検出電極Ｒｘ」が「２つのグループの両方に含まれる検出電極Ｒｘの全て」に相当する。また、第２タッチ検出で用いられる電極のうち「第１非重複領域ＮＯＬＡの領域に位置している検出電極Ｒｘのうち一部の検出電極Ｒｘ」が「第１選択電極」に相当する。また、第２タッチ検出で用いられる電極のうち「第２非重複領域ＮＯＬＢの領域に位置している検出電極Ｒｘのうち一部の検出電極Ｒｘ」が「第２選択電極」に相当する。
【００７４】
第１選択電極は、第１非重複領域ＮＯＬＡの領域内で第２方向（Ｙ方向）に沿って並ぶ複数（例えば、２４）の検出電極Ｒｘのうち、Ｙ方向の一端側から他端側に向かって奇数番目（又は偶数番目）に位置する検出電極Ｒｘである。第２選択電極は、第２非重複領域ＮＯＬＢの領域内で第２方向（Ｙ方向）に沿って並ぶ複数（例えば、２４）の検出電極Ｒｘのうち、Ｙ方向の一端側から他端側に向かって奇数番目（又は偶数番目）に位置する検出電極Ｒｘである。これらの例が示すように、第１選択電極及び第２選択電極は、第２方向（Ｙ方向）に沿って連続して並ぶ２以上の検出電極Ｒｘのうち、並び順に沿って１つ置きで選択された検出電極Ｒｘである。図２６では、第１非重複領域ＮＯＬＡ及び第２非重複領域ＮＯＬＢに位置する検出電極Ｒｘのうち奇数番目（又は偶数番目）が選択されていることを「１／２」の記載で示している。
【００７５】
実施形態４では、検出回路５１に同時接続可能な検出電極Ｒｘの数及び選択回路５２で選択可能な検出電極Ｒｘの数は、「２つのグループの両方に含まれる検出電極Ｒｘの全て」と、「第１選択電極」と、「第２選択電極」を足し合わせた数に対応する。実施形態４における重複領域ＯＬ、第１非重複領域ＮＯＬＡ及び第２非重複領域ＮＯＬＢの各々に位置する検出電極Ｒｘの数が実施形態２と同様であるとすると、この数は、４０＋（２４×１／２）＋（２４×１／２）＝６４である。以上、特筆した点を除いて、実施形態４は、実施形態２と同様である。
【００７６】
実施形態４によれば、２つのグループの両方に含まれる検出電極Ｒｘが位置する領域におけるタッチ検出の分解能とレポートレートとを両立させることができる。また、第１選択電極及び第２選択電極が位置する領域におけるタッチ検出のレポートレートを２つのグループの両方に含まれる検出電極Ｒｘが位置する領域と同じにすることができる。
【００７７】
（実施形態５）
次に、本発明の実施形態５について説明する。実施形態５の説明では、実施形態１，２，４と同様の構成に同じ符号を付して説明を省略する。
【００７８】
図２７は、実施形態５における重複領域ＯＬ、第１非重複領域ＮＯＬＡ及び第２非重複領域ＮＯＬＢでタッチ操作が検出された場合の一例を示す模式図である。実施形態５における第１選択電極及び第２選択電極は、複数回行われる第２タッチ検出のうち実施タイミングが最も近い２回の第２タッチ検出で異なる検出電極Ｒｘとなるよう選択の周期がずらされる。具体的には、「複数回行われる第２タッチ検出のうち実施タイミングが最も近い２回の第２タッチ検出」とは、例えば第１タッチ検出が行われるタイミング（Ｓｅｌｆ１，Ｓｅｌｆ２）を挟んで直近のタイミングで行われる２回の第２タッチ検出である。この２回の第２タッチ検出のうち一方における「第１選択電極」は、第１非重複領域ＮＯＬＡの領域内で第２方向（Ｙ方向）に沿って並ぶ複数（例えば、２４）の検出電極Ｒｘのうち、Ｙ方向の一端側から他端側に向かって奇数番目に位置する検出電極Ｒｘである。また、この２回の第２タッチ検出のうち他方における「第１選択電極」は、第１非重複領域ＮＯＬＡの領域内で第２方向（Ｙ方向）に沿って並ぶ複数（例えば、２４）の検出電極Ｒｘのうち、Ｙ方向の一端側から他端側に向かって偶数番目に位置する検出電極Ｒｘである。２回の第２タッチ検出の各々と「第２選択電極」との関係も、「第１選択電極」と同様、奇数番目と偶数番目とが切り替わる。この場合、タイミングチャートは実施形態１の説明で参照した図１９と同様になる。ただし、実施形態１における第１グループＧＡ、第２グループＧＢは、実施形態５において「第１の選択パターン」、「第２の選択パターン」に置換される。「第１の選択パターン」は、「重複領域ＯＬの領域に位置している検出電極Ｒｘ」と、「第１非重複領域ＮＯＬＡの領域及び第２非重複領域ＮＯＬＢの領域に位置している奇数番目の検出電極Ｒｘ」が選択されるパターンである。「第２の選択パターン」は、「重複領域ＯＬの領域に位置している検出電極Ｒｘ」と、「第１非重複領域ＮＯＬＡの領域及び第２非重複領域ＮＯＬＢの領域に位置している偶数番目の検出電極Ｒｘ」が選択されるパターンである。以上、特筆した点を除いて、実施形態５は、実施形態４と同様である。
【００７９】
実施形態５によれば、２つのグループの両方に含まれる検出電極Ｒｘが位置する領域におけるタッチ検出の分解能とレポートレートとを両立させることができる。また、第１選択電極及び第２選択電極が位置する領域におけるタッチ検出のレポートレートを２つのグループの両方に含まれる検出電極Ｒｘが位置する領域と同じにすることができる。
【００８０】
（実施形態６）
次に、本発明の実施形態６について説明する。実施形態６の説明では、実施形態１から実施形態５と同様の構成に同じ符号を付して説明を省略する。
【００８１】
図２８は、実施形態６における重複領域ＯＬ、第１非重複領域ＮＯＬＡ及び第２非重複領域ＮＯＬＢでタッチ操作が検出された場合の一例を示す模式図である。図２９は、実施形態６における第１タッチ検出の実施タイミングの一例を示すタイミングチャートである。実施形態６において第１タッチ検出で選択される検出電極Ｒｘは、実施形態１から実施形態５と異なる。
【００８２】
具体的には、実施形態６において第１タッチ検出で選択される検出電極Ｒｘは、例えば全ての検出電極Ｒｘのうち、Ｙ方向の一端側から他端側に向かって奇数番目（又は偶数番目）に位置する検出電極Ｒｘである。図２８では、タッチ検出領域ＡＬＬＡに位置する検出電極Ｒｘのうち奇数番目（又は偶数番目）が選択されていることを「１／２」の記載で示している。
【００８３】
実施形態１から実施形態５では、第１タッチ検出においてグループ単位で検出電極Ｒｘが順次選択されていた。一方、実施形態６では、図２８、図２９に示すように、第１タッチ検出で選択される検出電極Ｒｘは、検出電極Ｒｘのグループと関係を有しない。実施形態６では、Ｙ方向の一端側から他端側に向かって奇数番目（又は偶数番目）に位置する検出電極Ｒｘを選択した状態での第１タッチ検出を１度行うことで、タッチ検出領域ＡＬＬＡの第１タッチ検出とする。実施形態６では、実施形態１に比して、所定回数出力される第２同期信号ＴＳＶＤのうち１回分の第２同期信号ＴＳＶＤが空撃ちになる。実施形態６では、この空撃ちになる第２同期信号ＴＳＶＤを削減してもよい。
【００８４】
図２８は、実施形態６における第１タッチ検出と実施形態４における第２タッチ検出との組み合わせを例示しているが、実施形態６における第１タッチ検出の適用範囲はこれに限られるものでない。実施形態６における第１タッチ検出は、実施形態１から実施形態５のいずれにも適用することができる。実施形態６は、第１タッチ検出で選択される検出電極Ｒｘが第２タッチ検出で用いられる検出電極Ｒｘのグループに依存しない点を除いて、実施形態１から実施形態５と同様である。
【００８５】
実施形態６によれば、１回の第１タッチ検出でカバーされる領域をより大きくすることができる。また、第１タッチ検出を行う頻度をより低減することができ、タッチ検出装置１の消費電力を低減することができる。
【００８６】
（実施形態７）
次に、本発明の実施形態７について説明する。実施形態７の説明では、実施形態１から実施形態５と同様の構成に同じ符号を付して説明を省略する。
【００８７】
図３０は、実施形態７における重複領域ＯＬ、第１非重複領域ＮＯＬＡ及び第２非重複領域ＮＯＬＢでタッチ操作が検出された場合の一例を示す模式図である。実施形態７では、検出電極Ｒｘのグループの選択パターンは２パターンある。この２パターンのうち一方は、検出電極Ｒｘの自己静電容量を検出するための第１のグループである。また、この２パターンのうち他方は、検出電極Ｒｘの相互静電容量を検出するための第２のグループである。第２のグループは、実施形態１から実施形態５における検出電極Ｒｘのグループと同様であるので、説明を省略する。
【００８８】
第１のグループの各々が含む検出電極Ｒｘの位置は、第２のグループの各々が含む検出電極Ｒｘの位置と異なる。具体的には、例えば図３０に示すように、第１のグループの数は、２である。第１のグループとしての２つのグループのうち一方に含まれる検出電極Ｒｘは、例えば全ての検出電極Ｒｘのうち、Ｙ方向の一端側から他端側に向かって奇数番目に位置する検出電極Ｒｘである。また、他方に含まれる検出電極Ｒｘは、例えば全ての検出電極Ｒｘのうち、Ｙ方向の一端側から他端側に向かって偶数番目に位置する検出電極Ｒｘである。実施形態７では、第２同期信号ＴＳＶＤのパルスＳｅｌｆ１とパルスＳｅｌｆ２のうち一方のタイミングで、第１のグループとしての２つのグループのうち一方に含まれる検出電極Ｒｘが選択される。また、第２同期信号ＴＳＶＤのパルスＳｅｌｆ１とパルスＳｅｌｆ２のうち他方のタイミングで、第１のグループとしての２つのグループのうち他方に含まれる検出電極Ｒｘが選択される（図１３等参照）。なお、実施形態７における第２タッチ検出は、例えば実施形態４における第２タッチ検出と同様である。
【００８９】
図３０は、実施形態７における第１タッチ検出と実施形態４における第２タッチ検出との組み合わせを例示している。実施形態７における第１タッチ検出の適用範囲はこれに限られるものでない。実施形態７における第１タッチ検出は、実施形態１から実施形態５のいずれにも適用することができる。実施形態７は、第１タッチ検出で用いられる検出電極Ｒｘのグループが第２タッチ検出で用いられる検出電極Ｒｘのグループと異なる点を除いて、実施形態１から実施形態５と同様である。すなわち、実施形態７における第２タッチ検出は、第１タッチ検出でタッチ操作に応じた自己静電容量を検出した検出電極Ｒｘがあった場合に当該検出電極Ｒｘを含む第２のグループの検出電極Ｒｘの相互静電容量に基づいて行われる。
【００９０】
実施形態７によれば、第１タッチ検出のためのグループと第２タッチ検出のためのグループとを別個にすることができる。このため、第１タッチ検出による凡そのタッチ操作位置の特定により好適な検出電極Ｒｘの選択と、第２タッチ検出によるより精密なタッチ操作位置の特定により好適な検出電極Ｒｘの選択とを使い分けることができる。
【００９１】
（実施形態８）
次に、本発明の実施形態８について説明する。実施形態８の説明では、実施形態１と同様の構成に同じ符号を付して説明を省略する。
【００９２】
図３１は、実施形態８のタッチ検出パネル１０Ａ（図３３参照）が有する駆動電極Ｔｘと検出電極Ｒｘとの位置関係の一例を示す平面図である。実施形態８では、異なるグループの検出電極Ｒｘは、異なる駆動電極Ｔｘと対向する。具体的には、実施形態８では、検出電極Ｒｘのグループの各々に対して駆動電極Ｔｘが個別に設けられている。言い換えれば、実施形態８では、検出電極Ｒｘのグループの数と同じ数の複数の駆動電極Ｔｘのグループが設定されている。１つの駆動電極Ｔｘのグループに含まれる１つ以上の駆動電極Ｔｘは、１つの検出電極Ｒｘのグループに含まれる検出電極Ｒｘと対向している。図３１では、第１グループＧＣの領域に設けられた検出電極Ｒｘ及び駆動電極Ｔｘと、第２グループＧＤの領域に設けられた検出電極Ｒｘ及び駆動電極Ｔｘとがそれぞれ独立している例を示している。第１グループＧＣ及び第２グループＧＤの各々が１グループである。第１グループＧＣの領域に位置する検出電極Ｒｘは、第１配線グループＬＡと接続されている。また、第２グループＧＤの領域に位置する検出電極Ｒｘは、第２配線グループＬＢと接続されている。各グループの検出電極Ｒｘは第２方向（Ｙ方向）に並ぶ。異なるグループの検出電極Ｒｘは、例えば第１方向（Ｘ方向）に並ぶ。
【００９３】
また、実施形態８のタッチ検出装置は、複数の駆動回路を備える。駆動回路の数は、グループの数と等しい。具体的には、実施形態８のタッチ検出装置は、例えば図３１に示すように、駆動回路５６Ａと、駆動回路５６Ｂとを備える。駆動回路５６Ａは、第１グループＧＣの領域に設けられた駆動電極Ｔｘに駆動信号Ｅｘｖｃｏｍを出力する。駆動回路５６Ｂは、第２グループＧＤの領域に設けられた駆動電極Ｔｘに駆動信号Ｅｘｖｃｏｍを出力する。駆動回路５６Ａ，５６Ｂはそれぞれ、駆動信号Ｅｘｖｃｏｍの出力による走査の対象が各グループの駆動電極Ｔｘに限られる点を除いて、実施形態１の駆動回路５６と同様の機能を有する。駆動回路５６Ａと駆動回路５６Ｂは、駆動制御回路５７と接続されている。駆動制御回路５７は、駆動回路５６Ａと駆動回路５６Ｂの動作を制御する。具体的には、駆動制御回路５７は、例えば演算部５３と接続される。実施形態８の演算部５３は、第１タッチ検出に基づいて第２タッチ検出の対象として選択回路５２に選択させる検出電極Ｒｘを決定する。演算部５３は、この決定に応じて、当該検出電極Ｒｘと対向する駆動電極Ｔｘと接続されている駆動回路（駆動回路５６Ａ又は駆動回路５６Ｂ）を特定する。駆動制御回路５７は、この特定された駆動回路に駆動信号Ｅｘｖｃｏｍを出力させる。
【００９４】
図３２は、１つのグループに含まれる駆動電極Ｔｘに対して駆動信号Ｅｘｖｃｏｍが出力された場合に２つのグループの各々に含まれる検出電極ＲｘＡ，ＲｘＢとの間で静電容量が発生するパターンの一例を示す模式図である。駆動電極Ｔｘに対して駆動信号Ｅｘｖｃｏｍが出力されると、当該グループに含まれる検出電極ＲｘＡとの間で相互静電容量が生じる。ここで、例えば図３２に示すように、１つのグループに含まれる駆動電極Ｔｘに対して駆動信号Ｅｘｖｃｏｍが出力された場合に２つのグループの各々に含まれる検出電極ＲｘＡ，ＲｘＢとの間で静電容量が発生することがある。具体的には、複数のグループの各々が隣接する位置により近い駆動電極Ｔｘに対する駆動信号Ｅｘｖｃｏｍの出力が、図３２に示すようなパターンをより生じさせやすい。ただし、実施形態８では、異なるグループの検出電極ＲｘＢは異なるタイミングで検出回路５１と接続されるため、図３２に示すようなパターンは問題にならない。
【００９５】
図３３は、第２グループＧＤの第２タッチ検出が行われる場合を示す模式図である。例えば図３３に示す例では、第２グループＧＤの領域でタッチ操作が行われている。このため、第２グループＧＤの第１タッチ検出ではタッチ操作が検出される。この場合、第２グループＧＤの第２タッチ検出が行われる。一方、図３３に示す例では第１グループＧＣの領域でタッチ操作が行われていない。このため、第１グループＧＣの第１タッチ検出ではタッチ操作が検出されない。この場合、第１グループＧＣの第２タッチ検出は行われない。
【００９６】
図３４は、第２グループＧＤの第２タッチ検出が行われる場合のタイミングチャートである。図３４及び後述する図３６では、第１グループＧＣの第１タッチ検出が行われるタイミングを「Ｒｘ  Ｓｃａｎ１」で示している。また、第２グループＧＤの第１タッチ検出が行われるタイミングを「Ｒｘ  Ｓｃａｎ２」で示している。また、第１グループＧＣの第２タッチ検出が行われるタイミングを「Ｔｘ  Ｓｃａｎ１」で示している。また、第２グループＧＤの第２タッチ検出が行われるタイミングを「Ｔｘ  Ｓｃａｎ２」で示している。また、第１グループＧＣの第２タッチ検出の実施の有無を「Ｌｅｆｔ＿Ｓｅｌ」のハイ／ロウで管理している。また、第２グループＧＤの第２タッチ検出の実施の有無を「Ｒｉｇｈｔ＿Ｓｅｌ」のハイ／ロウで管理している。
【００９７】
図３３に示す例の場合、第１タッチ検出が行われるタイミングを除く第２同期信号ＴＳＶＤのパルスの出力タイミングに応じて駆動回路５６Ｂが駆動信号Ｅｘｖｃｏｍを順次出力する。図３４では、駆動回路５６Ｂが駆動信号Ｅｘｖｃｏｍを順次出力するタイミングが「Ｔｘ  Ｓｃａｎ２」に現れている。これによって第２グループＧＤの領域が駆動電極Ｔｘの並び方向（例えば、Ｘ方向）に走査される。このような検出面の走査が行われる期間、図３３及び図３４に示す例では、選択回路５２によって第２グループＧＤに含まれる検出電極Ｒｘと検出回路５１とが接続された状態となっている。これによって、第２グループＧＤの第２タッチ検出が行われる。
【００９８】
図３５は、第１グループＧＣの第２タッチ検出及び第２グループＧＤの第２タッチ検出が行われる場合を示す模式図である。図３６は、第１グループＧＣの第２タッチ検出及び第２グループＧＤの第２タッチ検出が行われる場合のタイミングチャートである。図３５に示す例では、第１グループＧＣの領域及び第２グループＧＤの領域でタッチ操作が行われている。このため、第１グループＧＣの第１タッチ検出及び第２グループＧＤの第１タッチ検出の両方でタッチ操作が検出される。この場合、第１グループＧＣの第２タッチ検出と第２グループＧＤの第２タッチ検出とが交互に行われる。具体的には、第１タッチ検出が行われるタイミングを挟んで、検出回路５１と接続される検出電極Ｒｘが第１グループＧＣと第２グループＧＤとで交互に入れ替わる。
【００９９】
図３６に示す例の場合、第２同期信号ＴＳＶＤのパルスの出力タイミングに応じて駆動回路５６Ａ、駆動回路５６Ｂが駆動信号Ｅｘｖｃｏｍを順次出力する。図３６では、駆動回路５６Ａが駆動信号Ｅｘｖｃｏｍを順次出力するタイミングが「Ｔｘ  Ｓｃａｎ１」に現れている。また、駆動回路５６Ｂが駆動信号Ｅｘｖｃｏｍを順次出力するタイミングが「Ｔｘ  Ｓｃａｎ２」に現れている。駆動回路５６Ａが駆動信号Ｅｘｖｃｏｍを順次出力する期間と駆動回路５６Ｂが駆動信号Ｅｘｖｃｏｍを順次出力する期間との間には、第１タッチ検出の期間（「Ｒｘ  Ｓｃａｎ１」、「Ｒｘ  Ｓｃａｎ２」）が設けられる。これによって第１グループＧＣの領域と第２グループＧＤの領域とが交互に駆動電極Ｔｘの並び方向（例えば、Ｘ方向）に走査される。以上、特筆した点を除いて、実施形態８は、実施形態１と同様である。
【０１００】
実施形態８によれば、第２タッチ検出において駆動信号Ｅｘｖｃｏｍの出力対象となる駆動電極Ｔｘを、第１タッチ検出においてタッチ操作が検出された検出電極Ｒｘのグループに対応する駆動電極Ｔｘに限定することができる。このため、全ての駆動電極Ｔｘを走査する場合に比して、第２タッチ検出における消費電力をより低減することができる。
【０１０１】
（変形例）
次に、タッチ検出パネル１０（又はタッチ検出パネル１０Ａ）の変形例であるタッチ検出機能付き表示パネル１０Ｂについて、図３７を参照して説明する。変形例の説明では、実施形態１から実施形態８と同様の構成に同じ符号を付して説明を省略する。
【０１０２】
図３７は、タッチ検出機能付き表示パネル１０Ｂの概略断面構造を表す断面図である。タッチ検出機能付き表示パネル１０Ｂは、画素電極２２が設けられた第１基板２０と、液晶層ＬＣを挟んで第１基板２０と対向する第２基板３０とを有する。液晶層ＬＣの反対側に面する第２基板３０の一面側（図３７における上側）が表示面側かつ検出面側になる。第１基板２０は、例えば、回路基板としてのガラス基板２３の表示面側に、駆動電極Ｔｘ、画素電極２２と駆動電極Ｔｘとを絶縁する絶縁層２４、画素電極２２が積層されている構成である。第２基板３０は、例えば、回路基板としてのガラス基板３１の表示面側に検出電極Ｒｘが設けられ、液晶層ＬＣ側にカラーフィルタ３２が設けられた構成である。また、変形例では、第１基板２０の背面側及び第２基板３０の表示面側に偏光板２５，３５が設けられている。液晶層ＬＣは、第１基板２０と第２基板３０との間隙に設けられた図示しないスペーサによって設けられたギャップに封入されている。なお、回路基板としてのガラス基板２３，３１はガラスに限らず、透明な樹脂等、透光性を有し回路形成が可能な他の素材を用いた構成であってもよい。
【０１０３】
変形例によれば、表示パネルと一体化された構成においても本発明を適用することができる。
【０１０４】
なお、上記の説明では検出電極Ｒｘのグループの数が２である場合を例示しているが、検出電極Ｒｘのグループの数は３以上であってもよい。検出電極Ｒｘのグループの数が３以上の値（ｍ）である場合、実施形態７における第１のグループ分けで１つのグループにグループ分けされる検出電極Ｒｘは、第２方向（Ｙ方向）に沿って連続して並ぶｍ以上の数の検出電極Ｒｘのうち、並び順に沿って（ｍ−１）つ置きに選択された検出電極Ｒｘである。実施形態７に限らず、他の実施形態及び変形例においても、検出電極Ｒｘのグループの数は３以上であってもよい。
【０１０５】
また、本実施形態において述べた態様によりもたらされる他の作用効果について本明細書記載から明らかなもの、又は当業者において適宜想到し得るものについては、当然に本発明によりもたらされるものと解される。
【０１０６】
また、本発明は、以下のように記載することができる。
【０１０７】
１．複数の駆動電極と、前記複数の駆動電極と離間して設けられる、複数の検出電極と、前記複数の検出電極のうち、第１の所定数以下の検出電極と電気的に接続する、検出回路と、前記複数の検出電極及び前記検出回路に電気的に接続される選択回路と、を有し、前記複数の検出電極の数は、前記第１の所定数より大きい第２の所定数であり、前記選択回路は、前記第２の所定数の検出電極から、１つ以上かつ前記第１の所定数以下の検出電極を含むグループを少なくとも１つを選択し、前記検出回路は、前記選択された検出電極の自己静電容量に基づく第１タッチ検出を行い、前記検出回路は、前記第１タッチ検出を行う検出電極と、前記駆動電極との間の相互静電容量に基づく第２タッチ検出を行う、タッチ検出装置。
【０１０８】
２．前記検出電極は、第１方向に延出し、前記駆動電極は、第１方向と異なる第２方向に延出し、前記駆動電極は、前記検出電極と前記駆動電極の間に相互静電容量を生じさせる駆動信号を出力する駆動回路と接続される１．のタッチ検出装置。
【０１０９】
３．前記選択回路は、前記グループを複数選択し、前記選択回路によっていずれか１つのグループに選択される検出電極は、他のグループに含まれる検出電極と異なる１．のタッチ検出装置。
【０１１０】
４．前記選択回路は、前記グループを複数選択し、前記選択回路によっていずれか１つのグループに選択される複数の検出電極のうち一部の検出電極は、他の１つのグループに含まれる複数の検出電極のうち一部の検出電極である１．のタッチ検出装置。
【０１１１】
５．異なるグループの前記検出電極は、異なるタイミングで前記選択回路に選択され、
２つのグループに含まれる検出電極で自己静電容量変化が検出された場合、前記２つのグループのうち一方のグループで相互静電容量の変化を検出する４．のタッチ検出装置。
【０１１２】
６．異なるグループの前記検出電極は、異なる駆動電極と対向する３．のタッチ検出装置。
【０１１３】
７．前記選択回路によるグループの選択パターンは２パターンあり、前記２パターンのうち一方は、前記検出電極の自己静電容量を検出するための第１のグループであり、前記２パターンのうち他方は、前記検出電極の相互静電容量を検出するための第２のグループであり、前記第２の所定数の前記検出電極は、前記第２方向に沿って並び、前記第１のグループとされる前記検出電極は、前記第２方向に沿って連続して並ぶｍ以上の数の検出電極のうち、並び順に沿って（ｍ−１）つ置きに選択された検出電極であり、ｍは、前記第１のグループの数である２．のタッチ検出装置。
【０１１４】
８．前記選択回路は、前記グループを複数選択し、前記第１タッチ検出は、前記グループごとで順次行われ、第２タッチ検出は、前記第１タッチ検出でタッチ操作に応じた自己静電容量を検出した検出電極が１つ以上ある場合、前記第１タッチ検出が行われていないタイミングに行われる１．のタッチ検出装置。
【０１１５】
９．前記第１タッチ検出は、前記グループごとで順次行われ、前記選択回路は、自己静電容量変化が検出された検出電極が複数のグループのうち２つのグループの各々に含まれる場合、前記第２タッチ検出のタイミングで当該２つのグループの両方に含まれる検出電極の全てと、当該２つのグループの一方固有の検出電極の一部である第１選択電極と、当該２つのグループの他方固有の検出電極の一部である第２選択電極とを選択して接続する１．のタッチ検出装置。
【０１１６】
１０．前記第２の所定数の前記検出電極は、前記第１方向に沿って並び、前記第１選択電極及び前記第２選択電極は、前記第１方向に沿って連続して並ぶ２以上の検出電極のうち、並び順に沿って１つ置きで選択された検出電極である９．のタッチ検出装置。
【０１１７】
１１．前記第１選択電極及び前記第２選択電極は、複数回行われる前記第２タッチ検出のうち実施タイミングが最も近い２回の前記第２タッチ検出で異なる検出電極となるよう選択の周期がずらされる１０．のタッチ検出装置。
【０１１８】
１２．前記検出回路は、前記検出電極の自己静電容量に基づいた第１タッチ検出と、前記第１タッチ検出を行う検出電極を含む検出電極の相互静電容量に基づいた第２タッチ検出とを行い、前記第１タッチ検出は、前記グループごとに順次行われ、前記第２タッチ検出で用いられる検出電極は、前記複数のグループの全てで行われた前記第１タッチ検出を行う検出電極を含む第１の所定数以下の検出電極である３．のタッチ検出装置。
【０１１９】
１３．複数の前記駆動回路を備え、前記駆動回路の数は、グループの数と等しく、複数の前記駆動回路はそれぞれ異なるグループの前記検出電極と対向する駆動電極に前記駆動信号を出力し、前記検出回路は、前記検出電極の自己静電容量に基づいた第１タッチ検出と、前記第１タッチ検出を行う検出電極の相互静電容量に基づいた第２タッチ検出とを行い、前記第１タッチ検出は、前記グループごとに順次行われる６．のタッチ検出装置。
【０１２０】
１４．前記検出回路は、前記検出電極の自己静電容量に基づいた第１タッチ検出と、前記相互静電容量に基づいた第２タッチ検出とを行い、前記第１タッチ検出は、前記第１のグループごとに順次行われ、前記第２タッチ検出は、自己静電容量変化が検出された検出電極があった場合に当該検出電極を含む前記第２のグループの検出電極の相互静電容量に基づいて行われる７．のタッチ検出装置。
【０１２１】
また、本発明は、以下のように記載することができる。
【０１２２】
（１）複数の駆動電極と、前記複数の駆動電極と離間して設けられる、複数の検出電極と、前記複数の検出電極のうち、第１の所定数以下の検出電極と電気的に接続する、検出回路と、前記複数の検出電極及び前記検出回路に電気的に接続される選択回路と、を有し、前記複数の検出電極の数は、前記第１の所定数より大きい第２の所定数であり、前記検出電極は、第１方向に延出し、前記駆動電極は、第１方向と異なる第２方向に延出し、前記駆動電極は、前記検出電極と前記駆動電極の間に相互静電容量を生じさせる駆動信号を出力する駆動回路と接続され、前記選択回路は、前記第２の所定数の検出電極から、１つ以上かつ前記第１の所定数以下の検出電極を含むグループを複数選択し、前記選択回路によっていずれか１つのグループに選択される検出電極は、他のグループに含まれる検出電極と異なり、前記検出回路は、前記選択された検出電極の自己静電容量に基づく第１タッチ検出を前記グループごとで順次行い、前記検出回路は、前記第１タッチ検出でタッチ操作に応じた自己静電容量を検出した検出電極が１つ以上ある場合、前記第１タッチ検出が行われていないタイミングで、前記自己静電容量を検出した検出電極を含むグループの検出電極と前記駆動電極との間の相互静電容量に基づく第２タッチ検出を前記グループ単位で行う、タッチ検出装置。
【０１２３】
（２）複数の駆動電極と、前記複数の駆動電極と離間して設けられる、複数の検出電極と、前記複数の検出電極のうち、第１の所定数以下の検出電極と電気的に接続する、検出回路と、前記複数の検出電極及び前記検出回路に電気的に接続される選択回路と、を有し、前記複数の検出電極の数は、前記第１の所定数より大きい第２の所定数であり、前記検出電極は、第１方向に延出し、前記駆動電極は、第１方向と異なる第２方向に延出し、前記駆動電極は、前記検出電極と前記駆動電極の間に相互静電容量を生じさせる駆動信号を出力する駆動回路と接続され、前記選択回路は、前記第２の所定数の検出電極から、１つ以上かつ前記第１の所定数以下の検出電極を含むグループを複数選択し、前記選択回路によっていずれか１つのグループに選択される複数の検出電極のうち一部の検出電極は、他の１つのグループに含まれる複数の検出電極のうち一部の検出電極であり、異なるグループの前記検出電極は、異なるタイミングで前記選択回路に選択され、前記検出回路は、前記選択された検出電極の自己静電容量に基づく第１タッチ検出を前記グループごとで順次行い、前記検出回路は、前記第１タッチ検出でタッチ操作に応じた自己静電容量を検出した検出電極が１つ以上ある場合、前記第１タッチ検出が行われていないタイミングで、前記自己静電容量を検出した検出電極を含むグループの検出電極と前記駆動電極との間の相互静電容量に基づく第２タッチ検出を前記グループ単位で行い、前記検出回路は、２つのグループに含まれる検出電極で自己静電容量変化が検出される場合、前記２つのグループのうち一方のグループで前記第２タッチ検出を行うタッチ検出装置。
【０１２４】
（３）複数の駆動電極と、前記複数の駆動電極と離間して設けられる、複数の検出電極と、前記複数の検出電極のうち、第１の所定数以下の検出電極と電気的に接続する、検出回路と、前記複数の検出電極及び前記検出回路に電気的に接続される選択回路と、を有し、前記複数の検出電極の数は、前記第１の所定数より大きい第２の所定数であり、前記検出電極は、第１方向に延出し、前記駆動電極は、第１方向と異なる第２方向に延出し、前記駆動電極は、前記検出電極と前記駆動電極の間に相互静電容量を生じさせる駆動信号を出力する駆動回路と接続され、前記選択回路は、前記第２の所定数の検出電極から、１つ以上かつ前記第１の所定数以下の検出電極を含むグループを複数選択し、前記選択回路によっていずれか１つのグループに選択される検出電極は、他のグループに含まれる検出電極と異なり、前記検出回路は、前記選択された検出電極の自己静電容量に基づく第１タッチ検出を前記グループごとで順次行い、前記検出回路は、前記第１タッチ検出でタッチ操作に応じた自己静電容量を検出した検出電極が１つ以上ある場合、前記第１タッチ検出が行われていないタイミングで、前記自己静電容量を検出した検出電極を含むグループの検出電極と前記駆動電極との間の相互静電容量に基づく第２タッチ検出を行う、タッチ検出装置。
【０１２５】
（４）複数の駆動電極と、前記複数の駆動電極と離間して設けられる、複数の検出電極と、前記複数の検出電極のうち、第１の所定数以下の検出電極と電気的に接続する、検出回路と、前記複数の検出電極及び前記検出回路に電気的に接続される選択回路と、を有し、前記複数の検出電極の数は、前記第１の所定数より大きい第２の所定数であり、前記検出電極は、第１方向に延出し、前記駆動電極は、第１方向と異なる第２方向に延出し、前記駆動電極は、前記検出電極と前記駆動電極の間に相互静電容量を生じさせる駆動信号を出力する駆動回路と接続され、前記選択回路は、前記第２の所定数の検出電極から、１つ以上かつ前記第１の所定数以下の検出電極を含むグループを複数選択し、前記選択回路によっていずれか１つのグループに選択される複数の検出電極のうち一部の検出電極は、他の１つのグループに含まれる複数の検出電極のうち一部の検出電極であり、異なるグループの前記検出電極は、異なるタイミングで前記選択回路に選択され、前記検出回路は、前記選択された検出電極の自己静電容量に基づく第１タッチ検出を前記グループごとで順次行い、前記検出回路は、前記第１タッチ検出でタッチ操作に応じた自己静電容量を検出した検出電極が１つ以上ある場合、前記第１タッチ検出が行われていないタイミングで、前記自己静電容量を検出した検出電極を含むグループの検出電極と前記駆動電極との間の相互静電容量に基づく第２タッチ検出を前記グループ単位で行い、前記検出回路は、２つのグループに含まれる検出電極で自己静電容量変化が検出される場合、前記２つのグループのうち一方のグループで前記第２タッチ検出を行い、前記選択回路は、自己静電容量変化が検出された検出電極が複数のグループのうち２つのグループの各々に含まれる場合、前記第２タッチ検出のタイミングで当該２つのグループの両方に含まれる検出電極の全てと、当該２つのグループの一方固有の検出電極の一部である第１選択電極と、当該２つのグループの他方固有の検出電極の一部である第２選択電極とを選択して接続するタッチ検出装置。
【０１２６】
（５）複数の駆動電極と、前記複数の駆動電極と離間して設けられる、複数の検出電極と、前記複数の検出電極のうち、第１の所定数以下の検出電極と電気的に接続する、検出回路と、前記複数の検出電極及び前記検出回路に電気的に接続される選択回路と、を有し、前記複数の検出電極の数は、前記第１の所定数より大きい第２の所定数であり、前記検出電極は、第１方向に延出し、前記駆動電極は、第１方向と異なる第２方向に延出し、前記駆動電極は、前記検出電極と前記駆動電極の間に相互静電容量を生じさせる駆動信号を出力する駆動回路と接続され、前記選択回路は、前記第２の所定数の検出電極から、１つ以上かつ前記第１の所定数以下の検出電極を含むグループを複数選択し、前記選択回路によっていずれか１つのグループに選択される複数の検出電極のうち一部の検出電極は、他の１つのグループに含まれる複数の検出電極のうち一部の検出電極であり、異なるグループの前記検出電極は、異なるタイミングで前記選択回路に選択され、前記検出回路は、前記選択された検出電極の自己静電容量に基づく第１タッチ検出を前記グループごとで順次行い、前記検出回路は、前記第１タッチ検出でタッチ操作に応じた自己静電容量を検出した検出電極が１つ以上ある場合、前記第１タッチ検出が行われていないタイミングで、前記自己静電容量を検出した検出電極を含むグループの検出電極と前記駆動電極との間の相互静電容量に基づく第２タッチ検出を前記グループ単位で行い、前記検出回路は、２つのグループに含まれる検出電極で自己静電容量変化が検出される場合、前記２つのグループのうち一方のグループで前記第２タッチ検出を行い、前記選択回路は、自己静電容量変化が検出された検出電極が複数のグループのうち２つのグループの各々に含まれる場合、前記第２タッチ検出のタイミングで当該２つのグループの両方に含まれる検出電極の全てと、当該２つのグループの一方固有の検出電極の一部である第１選択電極と、当該２つのグループの他方固有の検出電極の一部である第２選択電極とを選択して接続し、前記第１選択電極及び前記第２選択電極は、前記第１方向に沿って連続して並ぶ２以上の検出電極のうち、並び順に沿って１つ置きで選択された検出電極であり、前記第１選択電極及び前記第２選択電極は、複数回行われる前記第２タッチ検出のうち実施タイミングが最も近い２回の前記第２タッチ検出で異なる検出電極となるよう選択の周期がずらされるタッチ検出装置。
【０１２７】
（６）複数の駆動電極と、前記複数の駆動電極と離間して設けられる、複数の検出電極と、前記複数の検出電極のうち、第１の所定数以下の検出電極と電気的に接続する、検出回路と、前記複数の検出電極及び前記検出回路に電気的に接続される選択回路と、を有し、前記複数の検出電極の数は、前記第１の所定数より大きい第２の所定数であり、前記検出電極は、第１方向に延出し、前記駆動電極は、第１方向と異なる第２方向に延出し、前記駆動電極は、前記検出電極と前記駆動電極の間に相互静電容量を生じさせる駆動信号を出力する駆動回路と接続され、前記選択回路は、前記検出電極と前記駆動電極との間の相互静電容量に基づく第２タッチ検出で、前記第２の所定数の検出電極から、１つ以上かつ前記第１の所定数以下の検出電極を含むグループを複数選択し、前記選択回路によっていずれか１つのグループに選択される複数の検出電極のうち一部の検出電極は、他の１つのグループに含まれる複数の検出電極のうち一部の検出電極であり、異なるグループの前記検出電極は、異なるタイミングで前記選択回路に選択され、前記検出回路は、１つ以上の検出電極の自己静電容量に基づく第１タッチ検出を行い、前記検出回路は、前記第１タッチ検出でタッチ操作に応じた自己静電容量を検出した検出電極が１つ以上ある場合、前記第１タッチ検出が行われていないタイミングで、前記自己静電容量を検出した検出電極を含むグループの検出電極と前記駆動電極との間の相互静電容量に基づく第２タッチ検出を前記グループ単位で行い、前記検出回路は、２つのグループに含まれる検出電極で自己静電容量変化が検出される場合、前記２つのグループのうち一方のグループで前記第２タッチ検出を行うタッチ検出装置。
【０１２８】
（７）複数の駆動電極と、前記複数の駆動電極と離間して設けられる、複数の検出電極と、前記複数の検出電極のうち、第１の所定数以下の検出電極と電気的に接続する、検出回路と、前記複数の検出電極及び前記検出回路に電気的に接続される選択回路と、を有し、前記複数の検出電極の数は、前記第１の所定数より大きい第２の所定数であり、前記検出電極は、第１方向に延出し、前記駆動電極は、第１方向と異なる第２方向に延出し、前記駆動電極は、前記検出電極と前記駆動電極の間に相互静電容量を生じさせる駆動信号を出力する駆動回路と接続され、前記選択回路は、前記第２の所定数の検出電極から、１つ以上かつ前記第１の所定数以下の検出電極を含むグループを複数選択し、前記検出回路は、前記選択された検出電極の自己静電容量に基づく第１タッチ検出を前記グループごとで順次行い、前記検出回路は、前記第１タッチ検出でタッチ操作に応じた自己静電容量を検出した検出電極が１つ以上ある場合、前記第１タッチ検出が行われていないタイミングで、前記自己静電容量を検出した検出電極を含むグループの検出電極と前記駆動電極との間の相互静電容量に基づく第２タッチ検出を前記グループ単位で行い、前記選択回路によるグループの選択パターンは２パターンあり、前記２パターンのうち一方は、前記検出電極の自己静電容量を検出するための第１のグループであり、前記２パターンのうち他方は、前記検出電極の相互静電容量を検出するための第２のグループであり、前記第２の所定数の前記検出電極は、前記第２方向に沿って並び、前記第１のグループとされる前記検出電極は、前記第２方向に沿って連続して並ぶｍ以上の数の検出電極のうち、並び順に沿って（ｍ−１）つ置きに選択された検出電極であり、ｍは、前記第１のグループの数であり、前記第２タッチ検出は、自己静電容量変化が検出された検出電極があった場合に当該検出電極を含む前記第２のグループの検出電極の相互静電容量に基づいて行われるタッチ検出装置。
【０１２９】
（８）複数の駆動電極と、前記複数の駆動電極と離間して設けられる、複数の検出電極と、前記複数の検出電極のうち、第１の所定数以下の検出電極と電気的に接続する、検出回路と、前記複数の検出電極及び前記検出回路に電気的に接続される選択回路と、複数の前記駆動回路と、を有し、前記複数の検出電極の数は、前記第１の所定数より大きい第２の所定数であり、前記検出電極は、第１方向に延出し、前記駆動電極は、第１方向と異なる第２方向に延出し、前記駆動電極は、前記検出電極と前記駆動電極の間に相互静電容量を生じさせる駆動信号を出力する駆動回路と接続され、異なるグループの前記検出電極は、異なる駆動電極と対向し、前記選択回路は、前記第２の所定数の検出電極から、１つ以上かつ前記第１の所定数以下の検出電極を含むグループを複数選択し、前記選択回路によっていずれか１つのグループに選択される検出電極は、他のグループに含まれる検出電極と異なり、前記検出回路は、前記選択された検出電極の自己静電容量に基づく第１タッチ検出を前記グループごとで順次行い、前記検出回路は、前記第１タッチ検出でタッチ操作に応じた自己静電容量を検出した検出電極が１つ以上ある場合、前記第１タッチ検出が行われていないタイミングで、前記自己静電容量を検出した検出電極を含むグループの検出電極と前記駆動電極との間の相互静電容量に基づく第２タッチ検出を前記グループ単位で行い、複数の前記駆動回路の数は、グループの数と等しく、複数の前記駆動回路はそれぞれ異なるグループの前記検出電極と対向する駆動電極に前記駆動信号を出力するタッチ検出装置。
【符号の説明】
【０１３０】
１      タッチ検出装置
１０，１０Ａ  タッチ検出パネル
１０Ｂ  タッチ検出機能付き表示パネル
５０    回路部
５０ａ  制御回路
５１    検出回路
５２    選択回路
５３    演算部
５４    電位生成部
５５    タイミング制御部
５６    駆動回路
５７    駆動制御回路
Ｒｘ    検出電極
Ｔｘ    駆動電極
ＧＡ，ＧＡ１，ＧＣ  第１グループ
ＧＢ，ＧＢ１，ＧＤ  第２グループ
【図１】
2018160174.tif 000003
【図２】
2018160174.tif 000004
【図３】
2018160174.tif 000005
【図４】
2018160174.tif 000006
【図５】
2018160174.tif 000007
【図６】
2018160174.tif 000008
【図７】
2018160174.tif 000009
【図８】
2018160174.tif 000010
【図９】
2018160174.tif 000011
【図１０】
2018160174.tif 000012
【図１１】
2018160174.tif 000013
【図１２】
2018160174.tif 000014
【図１３】
2018160174.tif 000015
【図１４】
2018160174.tif 000016
【図１５】
2018160174.tif 000017
【図１６】
2018160174.tif 000018
【図１７】
2018160174.tif 000019
【図１８】
2018160174.tif 000020
【図１９】
2018160174.tif 000021
【図２０】
2018160174.tif 000022
【図２１】
2018160174.tif 000023
【図２２】
2018160174.tif 000024
【図２３】
2018160174.tif 000025
【図２４】
2018160174.tif 000026
【図２５】
2018160174.tif 000027
【図２６】
2018160174.tif 000028
【図２７】
2018160174.tif 000029
【図２８】
2018160174.tif 000030
【図２９】
2018160174.tif 000031
【図３０】
2018160174.tif 000032
【図３１】
2018160174.tif 000033
【図３２】
2018160174.tif 000034
【図３３】
2018160174.tif 000035
【図３４】
2018160174.tif 000036
【図３５】
2018160174.tif 000037
【図３６】
2018160174.tif 000038
【図３７】
2018160174.tif 000039